(57)【特許請求の範囲】
【請求項１】
遊技球が流下可能な遊技領域が画成された遊技盤と、前記遊技盤に配設され、遊技球が入賞可能な入賞口を備えた入賞装置と、前記入賞装置に設けられ、前記遊技盤を前後方向に貫通する貫通口を介して後方へ延出して前記入賞口に入賞した遊技球を遊技盤の裏側へ排出する排出樋と、前記遊技盤の裏側に配設される裏ユニットの前面側に開口して形成され、前記排出樋を介して前記入賞口に連通する球通路とを備えた遊技機において、
前記球通路の前側に、該球通路の前面開口における前記排出樋に対応する部位を除いて閉鎖するカバー部材が配設され、
前記カバー部材は、
前記カバー部材の前記排出樋に対応する部位に前後に貫通形成され、該排出樋の後端部に連通する通過口と、
前記カバー部材の前面から前方へ突出するよう形成され、前記遊技盤の裏面に当接する線状の当接突部とを有すると共に、
前記カバー部材に、前記通過口の周縁から前方へ突出して前記排出樋の後端部に当接する連通突部が形成されている
ことを特徴とする遊技機。
【請求項２】
遊技球が流下可能な遊技領域が画成された遊技盤と、前記遊技盤に配設され、遊技球が入賞可能な入賞口を備えた入賞装置と、前記入賞装置に設けられ、前記遊技盤を前後方向に貫通する貫通口を介して後方へ延出して前記入賞口に入賞した遊技球を遊技盤の裏側へ排出する排出樋と、前記遊技盤の裏側に配設される裏ユニットの前面側に開口して形成され、前記排出樋を介して前記入賞口に連通する球通路とを備えた遊技機において、
前記球通路の前側に、該球通路の前面開口における前記排出樋に対応する部位を除いて閉鎖するカバー部材が配設され、
前記カバー部材は、
前記カバー部材の前記排出樋に対応する部位に前後に貫通形成され、該排出樋の後端部に連通する通過口と、
前記カバー部材の前面から前方へ突出するよう形成され、前記遊技盤の裏面に当接する線状の当接突部とを有し、
前記当接突部は、前記カバー部材の周縁部に設けられる
ことを特徴とする遊技機。
【請求項３】
遊技球が流下可能な遊技領域が画成された遊技盤と、前記遊技盤に配設され、遊技球が入賞可能な入賞口を備えた入賞装置と、前記入賞装置に設けられ、前記遊技盤を前後方向に貫通する貫通口を介して後方へ延出して前記入賞口に入賞した遊技球を遊技盤の裏側へ排出する排出樋と、前記遊技盤の裏側に配設される裏ユニットの前面側に開口して形成され、前記排出樋を介して前記入賞口に連通する球通路とを備えた遊技機において、
前記球通路の前側に、該球通路の前面開口における前記排出樋に対応する部位を除いて閉鎖するカバー部材が配設され、
前記カバー部材は、
前記カバー部材の前記排出樋に対応する部位に前後に貫通形成され、該排出樋の後端部に連通する通過口と、
前記カバー部材の前面から前方へ突出するよう形成され、前記遊技盤の裏面に当接する線状の当接突部とを有すると共に、
前記球通路に遊技球を検知する球検知手段が設けられ、前記カバー部材に、該球検知手段の前端部に前方から当接して位置規制する規制部が設けられている
ことを特徴とする遊技機。
【請求項４】
前記カバー部材の前面に、前記貫通口に臨んで前記入賞装置に対し後方から光を照射する発光装置が設けられている請求項１〜３の何れか一項に記載の遊技機。
【発明の詳細な説明】
【技術分野】
【０００１】
この発明は、遊技盤に設けられた入賞口に入賞した遊技球を、裏ユニットに設けた球通路を介して排出するよう構成された遊技機に関するものである。
【背景技術】
【０００２】
遊技機の代表例の一つであるパチンコ機は、機内にセットされる遊技盤の盤面に画成した遊技領域の略中央位置にセンター役物とも称される枠状装飾部材が配設されると共に、該遊技盤の裏側には裏ユニットが配設されている。裏ユニットには、各種図柄を変動表示して図柄変動演出を行なう液晶式やドラム式等の図柄表示装置が配設され、該図柄表示装置の表示部を前記枠状装飾部材の図柄表示用開口部に臨ませ、この図柄表示装置で図柄組合わせゲームやリーチ演出等の遊技演出を行なうよう構成されている。
【０００３】
この種のパチンコ機では、遊技盤の盤面側に、遊技領域に打出されたパチンコ球が入賞可能な入賞装置が配設され、該入賞装置へのパチンコ球の入賞により図柄表示装置での図柄変動演出が開始されるよう構成されている。そして、パチンコ機では、図柄変動演出の結果として図柄表示装置に所定の組合わせで図柄が停止すると、遊技者に有利な大当りが発生するようになっている。
【０００４】
また、前記遊技盤には、遊技領域を流下するパチンコ球が入賞可能な普通入賞口を備えた普通入賞装置が複数配設され、各普通入賞口に入賞したパチンコ球は、前記裏ユニットに設けられた球通路で集合されて機外に排出されるようになっている(例えば、特許文献１参照)。前記裏ユニットの球通路は、前面側に開放するよう形成されて、当該裏ユニットを遊技盤の裏側に配設することで、該球通路における前面開口の普通入賞口と対応する部位以外の部位が遊技盤の裏面で覆われて球通路として機能するよう構成される。
【先行技術文献】
【特許文献】
【０００５】
【特許文献１】特許２００１−１４９５９７号公報
【発明の概要】
【発明が解決しようとする課題】
【０００６】
すなわち、特許文献１では、裏ユニットを遊技盤に配設した際に、球通路と遊技盤の裏面とが直接当接することで、球通路の前面開口を閉鎖する構成となっている。ところが、遊技盤や裏ユニットには、設計誤差や組付け誤差等が不可避的に生ずるため、裏ユニットを遊技盤に配設した際に、球通路と遊技盤の裏面との間に隙間が生ずることがある。このような隙間が生ずると、パチンコ球が当該隙間を通過する際に流れが乱れ、球通路内で遊技球の球詰まりが発生する虞があった。
【０００７】
すなわち、本発明は、従来技術に係る遊技機に内在する前記問題に鑑み、これらを好適に解決するべく提案されたものであって、遊技球が球通路を円滑に流下して球詰まりの発生を抑制し得る遊技機を提供することを目的とする。
【課題を解決するための手段】
【０００８】
前記課題を解決し、所期の目的を達成するため、本発明に係る遊技機は、
遊技球が流下可能な遊技領域(16)が画成された遊技盤(18)と、前記遊技盤(18)に配設され、遊技球が入賞可能な入賞口(84,84,84)を備えた入賞装置(86)と、前記入賞装置(86)に設けられ、前記遊技盤(18)を前後方向に貫通する貫通口(82)を介して後方へ延出して前記入賞口(84,84,84)に入賞した遊技球を遊技盤(18)の裏側へ排出する排出樋(110,112,114)と、前記遊技盤(18)の裏側に配設される裏ユニット(36)の前面側に開口して形成され、前記排出樋(110,112,114)を介して前記入賞口(84,84,84)に連通する球通路(120)とを備えた遊技機において、
前記球通路(120)の前側に、該球通路(120)の前面開口における前記排出樋(110,112,114)に対応する部位を除いて閉鎖するカバー部材(180)が配設され、
前記カバー部材(180)は、
前記カバー部材(180)の前記排出樋(112,114)に対応する部位に前後に貫通形成され、該排出樋(112,114)の後端部(112a,114a)に連通する通過口(192,192)と、
前記カバー部材(180)の前面から前方へ突出するよう形成され、前記遊技盤(18)の裏面に当接する線状の当接突部(198)とを有すると共に、
前記カバー部材(180)に、前記通過口(192,192)の周縁から前方へ突出して前記排出樋(112,114)の後端部(112a,114a)に当接する連通突部(196)が形成されていることを特徴とする。
請求項１の発明によれば、球通路の前面にカバー部材を設けたので、球通路の前面開口がカバー部材により閉鎖されて、該球通路およびカバー部材の間に隙間が生じるのを防止し得る。従って、球通路内で遊技球の球詰まりが発生するのを好適に抑制し得る。また、裏ユニットを遊技盤に配設した際に当接突部が遊技盤の裏面に当接するので、カバー部材が裏ユニット側へ押圧されてカバー部材と球通路との密着性が向上される。従って、カバー部材と球通路との間に隙間がより生じ難くなって、球通路内を遊技球が円滑に流下することができる。
【０００９】
しかも、線状の当接突部が遊技盤の裏面に線接触する構成としたから、遊技盤の裏面の歪みによる悪影響を軽減し得る。すなわち、カバー部材の前面が遊技盤の裏面に面接触する構成とした場合には、遊技盤の裏面の歪みによりカバー部材の一部が遊技盤の裏面から浮いて、通過口と排出樋との連通に支障を来したり、球通路とカバー部材との間に隙間が生じる虞がある。これに対し、請求項１の発明では、遊技盤の裏面に当接突部が線接触する構成とすることで、カバー部材が遊技盤の裏面から浮き難くなって、通過口と排出樋とが確実に連通することが可能となり、また、球通路とカバー部材との間に隙間が生じ難くなる。
そして、カバー部材の通過口の周縁に連通突部を形成したので、裏ユニットを遊技盤に配設した際にカバー部材の通過口が排出樋の後端部に確実に連通し得る。従って、通過口と排出樋の後端部との間に隙間が発生し難く、遊技球が通過口を通過する際に、球詰まりが発生するのを抑制し得る。
【００１０】
請求項２に係る遊技機では、
遊技球が流下可能な遊技領域(16)が画成された遊技盤(18)と、前記遊技盤(18)に配設され、遊技球が入賞可能な入賞口(84,84,84)を備えた入賞装置(86)と、前記入賞装置(86)に設けられ、前記遊技盤(18)を前後方向に貫通する貫通口(82)を介して後方へ延出して前記入賞口(84,84,84)に入賞した遊技球を遊技盤(18)の裏側へ排出する排出樋(110,112,114)と、前記遊技盤(18)の裏側に配設される裏ユニット(36)の前面側に開口して形成され、前記排出樋(110,112,114)を介して前記入賞口(84,84,84)に連通する球通路(120)とを備えた遊技機において、
前記球通路(120)の前側に、該球通路(120)の前面開口における前記排出樋(110,112,114)に対応する部位を除いて閉鎖するカバー部材(180)が配設され、
前記カバー部材(180)は、
前記カバー部材(180)の前記排出樋(112,114)に対応する部位に前後に貫通形成され、該排出樋(112,114)の後端部(112a,114a)に連通する通過口(192,192)と、
前記カバー部材(180)の前面から前方へ突出するよう形成され、前記遊技盤(18)の裏面に当接する線状の当接突部(198)とを有し、
前記当接突部(198)は、前記カバー部材(180)の周縁部に設けられることを特徴とする。
請求項２の発明によれば、球通路の前面にカバー部材を設けたので、球通路の前面開口がカバー部材により閉鎖されて、該球通路およびカバー部材の間に隙間が生じるのを防止し得る。従って、球通路内で遊技球の球詰まりが発生するのを好適に抑制し得る。また、裏ユニットを遊技盤に配設した際に当接突部が遊技盤の裏面に当接するので、カバー部材が裏ユニット側へ押圧されてカバー部材と球通路との密着性が向上される。従って、カバー部材と球通路との間に隙間がより生じ難くなって、球通路内を遊技球が円滑に流下することができる。
しかも、線状の当接突部が遊技盤の裏面に線接触する構成としたから、遊技盤の裏面の歪みによる悪影響を軽減し得る。すなわち、カバー部材の前面が遊技盤の裏面に面接触する構成とした場合には、遊技盤の裏面の歪みによりカバー部材の一部が遊技盤の裏面から浮いて、通過口と排出樋との連通に支障を来したり、球通路とカバー部材との間に隙間が生じる虞がある。これに対し、請求項１の発明では、遊技盤の裏面に当接突部が線接触する構成とすることで、カバー部材が遊技盤の裏面から浮き難くなって、通過口と排出樋とが確実に連通することが可能となり、また、球通路とカバー部材との間に隙間が生じ難くなる。
また、カバー部材の周縁部に当接突部を設けたので、カバー部材の剛性を高めることができ、該カバー部材の変形や歪みをより効果的に抑制し得る。
【００１１】
請求項３に係る遊技機では、
遊技球が流下可能な遊技領域(16)が画成された遊技盤(18)と、前記遊技盤(18)に配設され、遊技球が入賞可能な入賞口(84,84,84)を備えた入賞装置(86)と、前記入賞装置(86)に設けられ、前記遊技盤(18)を前後方向に貫通する貫通口(82)を介して後方へ延出して前記入賞口(84,84,84)に入賞した遊技球を遊技盤(18)の裏側へ排出する排出樋(110,112,114)と、前記遊技盤(18)の裏側に配設される裏ユニット(36)の前面側に開口して形成され、前記排出樋(110,112,114)を介して前記入賞口(84,84,84)に連通する球通路(120)とを備えた遊技機において、
前記球通路(120)の前側に、該球通路(120)の前面開口における前記排出樋(110,112,114)に対応する部位を除いて閉鎖するカバー部材(180)が配設され、
前記カバー部材(180)は、
前記カバー部材(180)の前記排出樋(112,114)に対応する部位に前後に貫通形成され、該排出樋(112,114)の後端部(112a,114a)に連通する通過口(192,192)と、
前記カバー部材(180)の前面から前方へ突出するよう形成され、前記遊技盤(18)の裏面に当接する線状の当接突部(198)とを有すると共に、
前記球通路(120)に遊技球を検知する球検知手段(186)が設けられ、前記カバー部材(180)に、該球検知手段(186)の前端部に前方から当接して位置規制する規制部(204)が設けられていることを特徴とする。
請求項３の発明によれば、球通路の前面にカバー部材を設けたので、球通路の前面開口がカバー部材により閉鎖されて、該球通路およびカバー部材の間に隙間が生じるのを防止し得る。従って、球通路内で遊技球の球詰まりが発生するのを好適に抑制し得る。また、裏ユニットを遊技盤に配設した際に当接突部が遊技盤の裏面に当接するので、カバー部材が裏ユニット側へ押圧されてカバー部材と球通路との密着性が向上される。従って、カバー部材と球通路との間に隙間がより生じ難くなって、球通路内を遊技球が円滑に流下することができる。
しかも、線状の当接突部が遊技盤の裏面に線接触する構成としたから、遊技盤の裏面の歪みによる悪影響を軽減し得る。すなわち、カバー部材の前面が遊技盤の裏面に面接触する構成とした場合には、遊技盤の裏面の歪みによりカバー部材の一部が遊技盤の裏面から浮いて、通過口と排出樋との連通に支障を来したり、球通路とカバー部材との間に隙間が生じる虞がある。これに対し、請求項１の発明では、遊技盤の裏面に当接突部が線接触する構成とすることで、カバー部材が遊技盤の裏面から浮き難くなって、通過口と排出樋とが確実に連通することが可能となり、また、球通路とカバー部材との間に隙間が生じ難くなる。
また、カバー部材に規制部を設けたので、球検知手段の前方への位置決めをなし得る。
【００１２】
請求項４に係る遊技機では、前記カバー部材(180)の前面に、前記貫通口(82)に臨んで前記入賞装置(86)に対し後方から光を照射する発光装置(116)が設けられている。
請求項４の発明によれば、線状の当接突部を形成することでカバー部材の剛性が高められるので、発光装置から生ずる熱によってカバー部材が加熱されたとしても、カバー部材が変形したり歪んだりするのを抑制し得る。また、発光装置を裏ユニット側のカバー部材に設けたので、該発光装置を遊技盤に配設した場合に較べ、発光装置から導出する配線を遊技機の裏側へ引き出し易くなる利点がある。
【発明の効果】
【００１４】
本発明に係る遊技機によれば、球通路の前面開口をカバー部材が隙間を生ずることなく閉鎖するので、遊技球が球通路を円滑に流下して球詰まりの発生を抑制し得る。
【図面の簡単な説明】
【００１５】
【図１】本発明の好適な実施例に係るパチンコ機の遊技盤を示す正面図である。
【図２】実施例に係るパチンコ機を示す正面図である。
【図３】実施例に係るパチンコ機を示す斜視図であって、中枠に対し前枠を開放した状態で示す。
【図４】実施例に係る遊技盤および裏ユニットを示す斜視図である
【図５】実施例に係る不正防止部を示す斜視図である。
【図６】実施例に係る遊技盤を裏側から見た斜視図である。
【図７】遊技盤に入賞口用飾り部材を取付ける様子を示す斜視図である。
【図８】実施例に係る不正防止部および透明部材の位置関係を示す縦断面図である。
【図９】実施例に係る不正防止部および透明部材の位置関係を示す縦断面図であって、不正行為により透明部材が遊技盤から離間した状態を示している。
【図１０】実施例に係る不正防止部の正面図である。
【図１１】裏ユニットにカバー部材を取付ける様子を示す斜視図である。
【図１２】実施例に係る裏ユニットの正面図である。
【図１３】裏ユニットから演出装置を取外した状態を示す正面図である。
【図１４】実施例に係る裏ユニットを後方から見た斜視図である。
【図１５】実施例に係る遊技盤および裏ユニットの縦断面図である。
【図１６】裏ユニットから演出装置を取外した状態を示す斜視図である。
【図１７】実施例に係る裏ユニットの下部構造体を示す縦断面図である。
【図１８】カバー部材に入賞口用発光装置およびケース体を取付ける様子を示す斜視図である。
【図１９】裏ユニットを遊技盤に取付けた状態を示す縦断面図である。
【図２０】実施例に係る発光演出装置を前側から見た分解斜視図である。
【図２１】実施例に係る発光演出装置を後側から見た分解斜視図である。
【図２２】発光演出装置から前側ケースを取外した状態を示す正面図である。
【図２３】実施例に係る発光演出装置の背面図である。
【図２４】実施例に係る左部演出装置を前側から見た分解斜視図である。
【図２５】実施例に係る左部演出装置を後側から見た分解斜視図である。
【図２６】実施例に係る左部演出装置の正面図である。
【図２７】実施例に係る左部演出装置の背面図である。
【図２８】実施例に係る左部演出装置の縦断面図である。
【図２９】実施例に係る左部演出装置の背面図であって、可動演出体が第２姿勢にある状態を示す。
【図３０】可動演出体の駆動ギヤおよび扇状従動ギヤの噛合構造を示す説明図であって、可動演出体が第１姿勢にある状態を示す。
【図３１】可動演出体の駆動ギヤおよび扇状従動ギヤの噛合構造を示す説明図であって、可動演出体が第２姿勢にある状態を示す。
【図３２】実施例に係る可動演出体を前側から見た分解斜視図である。
【図３３】実施例に係る可動演出体を後側から見た分解斜視図である。
【図３４】実施例に係る可動演出体を後側から見た斜視図であって、保持部を取外した状態で示す。
【図３５】ベース体に押えカバーを組付ける様子を示す斜視図であって、(ａ)は前側から見た状態を示し、(ｂ)は後側から見た状態を示す。
【図３６】ベース体に押えカバーを組付けた状態を示す斜視図であって、(ａ)は前側から見た状態を示し、(ｂ)は後側から見た状態を示す。
【図３７】変更例に係る不正防止部を示す斜視図である。
【図３８】変更例に係る不正防止部を示す平面図である。
【発明を実施するための形態】
【００１６】
次に、本発明に係る遊技機につき、好適な実施例を挙げて、添付図面を参照しながら、以下詳細に説明する。なお、実施例では、遊技球としてパチンコ球を用いて遊技を行なうパチンコ機を例に挙げて説明する。また、以下の説明において、「前」・「後」・「左」・「右」とは、図１に示すようにパチンコ機に設置した遊技盤を正面側(遊技者側)から見た状態を基準として、遊技者側を前方と指称し、遊技盤の裏側を後方と指称するものとする。
【実施例】
【００１７】
〔パチンコ機について〕
実施例に係るパチンコ機の概略構成について、図１または図２を参照して説明する。図２に示すように、パチンコ機１０は、遊技店に設けられた「島」とも称される設置枠台(図示せず)に固定される外枠１２と、該外枠１２に対して着脱および開閉可能に枢支された中枠１４とを備えている。また中枠１４には、パチンコ球が流下可能な遊技領域１６が画成された遊技盤１８が着脱交換可能に取付けられると共に、中枠１４の前面側に前枠２０が枢支されている。この前枠２０は、全体が合成樹脂成形されており、図３に示すように、前記中枠１４の左側部に配置した上下のヒンジ機構１４ａ,１４ａに前枠２０の上下の端部が軸支されて、前枠２０は中枠１４に対し開閉自在に取付けられている。前記前枠２０の右側部裏側には、中枠１４の右側部に設けた施錠装置の係合片１４ｂが係脱自在に係合する係合溝２０ａが上下に複数設けられ、前枠２０を中枠１４に対し閉成した際に、前枠２０の各係合溝２０ａに対応の係合片１４ｂが係合して前枠２０が施錠されるよう構成されている。前記前枠２０は、中枠１４に配設した遊技盤１８の前側に位置して該遊技盤１８を透視保護する透明部材２２を備えると共に、この透明部材２２の下方位置にパチンコ球を貯留可能な上球皿２４が設けられており、前枠２０の開閉に合わせて前記透明部材２２および上球皿２４が一体的に開閉するようになっている。更に、中枠１４の前側における前枠２０の下方には、パチンコ球を貯留可能な下球皿２６を形成した球皿部材２８が着脱および開閉可能に組付けられている。
【００１８】
前記中枠１４における球皿部材２８の右側部には、操作ハンドル３０が設けられており、該操作ハンドル３０を操作することで、中枠１４に配設した打球発射機構(図示せず)が作動して上球皿２４に貯留したパチンコ球を遊技盤１８へ向けて打出すよう構成されている。操作ハンドル３０は、常には打球発射機構の作動を停止する状態となる方向(反時計回り)に付勢され、遊技者が時計回りに回動操作すると打球発射機構が作動され、回動操作の度合によりパチンコ球の打出し強度が調節可能となっている。
【００１９】
〔遊技盤について〕
図１に示すように、実施例の遊技盤１８は、盤面に配設されたレール部材３２(後述)により前記遊技領域１６が画成された平板状の部材で構成されている。前記遊技盤１８の裏側には、後述する複数の演出装置１３６,１３８,１４０等が配設されると共に、各種の図柄を変動・停止表示して特別図柄変動ゲームを行なう液晶式やドラム式等の図柄表示装置３４(図４参照)が取付けられる裏ユニット３６が配設される。前記遊技盤１８の盤面には、該遊技盤１８の左下隅部、左上隅部および右上隅部にかけて半円形状に配置された外レール３８と、該外レール３８の内側に離間して遊技盤１８の下部中央から左上隅部にかけて配置される円弧状の内レール４０とが配設されている。外レール３８および内レール４０は、何れも内側面が遊技盤１８の盤面に対し略直角(交差する)となるよう配設されている。実施例では、前記外レール３８は金属薄板から構成され、また、前記内レール４０は合成樹脂で成形されている。また、外レール３８と内レール４０との間に、打球発射機構で打出したパチンコ球が案内される打出し通路４２が画成されている。なお内レール４０の上端部には、遊技領域１６に打出したパチンコ球が打出し通路４２に戻ることを防止する弾性部材４４が配設されている。
【００２０】
前記遊技盤１８の盤面における四隅には、樹脂製のコーナー飾り４６が複数設けられている。右側のコーナー飾り４６の内側面は、前記外レール３８の右端部に沿うよう湾曲した第１内側面４８と、前記内レール４０と同心状に延在すると共に該内レール４０と略同一の曲率半径で湾曲した第２内側面５０とで構成される。第１内側面４８および第２内側面５０は、遊技盤１８の盤面に対し略直角をなすよう配設されている。また、前記第２内側面５０の下端は、遊技盤１８の下部中央において前記内レール４０の右端部に連結部５２を介して連結している。そして、前記外レール３８の上部が規定する上に凸の円弧と、内レール４０および第２内側面５０が規定する下に凸の円弧とにより、前記遊技領域１６が略円形状に画成されている。すなわち、実施例では、遊技領域１６を画成するレール部材３２は、内レール４０、外レール３８および第２内側面５０によって構成されている。
【００２１】
図５に示すように、前記遊技領域１６の最低部を規定する前記連結部５２は、内レール４０および第２内側面５０に対し一段下がった段差形状をなしている。前記連結部５２の上面は、後方へ向かうにつれて下方へ傾斜している。前記連結部５２を含む内レール４０および第２内側面５０の前端には、後述する不正防止部５４が一体成形されている。また、前記内レール４０および第２内側面５０における前記連結部５２を含む部位には、当該部位の後縁部から上方へ立ち上がると共に前記遊技盤１８の盤面に当接する後板部５６が形成され、該後板部５６に、前後方向に開放するアウト口５８が開設される。すなわち、図１に示すように、前記アウト口５８は、前記遊技盤１８における遊技領域１６の最下部で開口して、後述する始動口７０や特別入賞口７４、一般入賞口８４に入賞しないパチンコ球をアウト口５８を介して遊技領域１６から排出するよう構成してある。実施例では、前記アウト口５８の左右の開口寸法は、前記連結部５２の左右の幅寸法と同一に設定されており、該連結部５２に到来したパチンコ球は、該連結部５２上を後方へ転動してアウト口５８へ案内されるよう構成される。なお、前記連結部５２の下部には、前記右側のコーナー飾り４６の左端部に連設される合成樹脂製の肉厚部６０が形成されている。この肉厚部６０には、矩形状に前方が開放する矩形凹部６２が所要の深さで複数凹設されている。この矩形凹部６２は、前記連結部５２の成形時にヒケが生ずるのを防止する肉盗みとして機能するものであり、実施例では、矩形凹部６２は、左右に並んで４つ形成されている。
【００２２】
前記遊技盤１８には、前記図柄表示装置３４の表示部６４が臨む図柄表示用開口部６６が開設された枠状装飾部材６８が配設されると共に、該枠状装飾部材６８の下方位置に、パチンコ球が入賞可能な始動口(入賞口)７０を備えた始動入賞装置７２が配設されている。そして、前記始動入賞装置７２の始動口７０にパチンコ球が入賞することで、図柄表示装置３４での特別図柄変動ゲームが開始されるよう構成される。この特別図柄変動ゲームの結果、前記図柄表示装置３４に特定の図柄組合わせ(例えば、同一図柄の三つ揃え)が表示されることで遊技者に有利な大当り(特別遊技)が発生するよう構成されている。前記遊技盤１８における始動入賞装置７２の下方位置には、大当り発生時に特別入賞口(入賞口)７４を開放してパチンコ球の入賞を許容する特別入賞装置(入賞装置)７６が配設され、該特別入賞口７４にパチンコ球が入賞することで、球払出装置(図示せず)から前記上球皿２４に賞球が払出されるようになっている。
【００２３】
図６に示すように、前記遊技盤１８には、遊技領域１６の略中央から右側部(図６では左側部)に至る大部分が開口する第１の貫通口７８と、該第１の貫通口７８の下方位置において遊技領域１６の左右幅方向の略中央に開設された第２の貫通口８０と、遊技領域１６の左下方(図６では右側方)に開設された三日月状の第３の貫通口８２とが開設されている。前記第１の貫通口７８には、該第１の貫通口７８の開口縁部を覆うように前記枠状装飾部材６８が取付けられると共に、前記第２の貫通口８０には、前記始動入賞装置７２および特別入賞装置７６が取付けられる。また、前記第３の貫通口８２には、遊技領域１６に開口する複数(実施例では３つ)の一般入賞口８４,８４,８４を備えた合成樹脂製の入賞口用飾り部材(入賞装置)８６が配設される。図６に示すように、前記第２の貫通口８０に取付けられた前記始動入賞装置７２は、該始動入賞装置７２の本体部７２ａが該第２の貫通口８０を介して遊技盤１８の裏側へ突出している。同様に、特別入賞装置７６についても、前記第２の貫通口８０に取付けられた状態において、特別入賞装置７６の本体部７６ａが該第２の貫通口８０を介して前記遊技盤１８の裏側へ突出している。なお、遊技盤１８の下部中央には、前記レール部材３２のアウト口５８に対応する排出凹部８８が該遊技盤１８の下端部から上方へ凹設されており、アウト口５８を通過したパチンコ球を排出凹部８８を介して機外へ排出するようになっている。
【００２４】
前記枠状装飾部材６８の下部には、パチンコ球を一旦取込んで転動させた後に排出するステージ部９０が設けられると共に、該図柄表示用開口部６６の左側に、遊技領域１６に球導入口９２ａが開口して該遊技領域１６を流下するパチンコ球を取込んでステージ部９０に案内する球導入部９２が設けられている。そして、前記球導入部９２からステージ部９０に通出されたパチンコ球は、ステージ部９０に形成した転動面９４上を左右に転動した後に、各入賞口７０,７４,８４が臨む遊技領域１６に排出される。前記ステージ部９０および転動面９４は、全体が光透過性を有する透明部材で構成されている。また、前記転動面９４は、全体として下に凸の円弧形状に形成されると共に、転動面９４の幅方向中央に、前記始動入賞装置７２の始動口７０の真上に位置して、パチンコ球を始動口７０へ向けて排出する樋状の案内部９６が凹設されている。
【００２５】
また、前記ステージ部９０の前面には、前記案内部９６の周辺を装飾する装飾板９８が配設されている。この装飾板９８は、非透明な材質で形成されており、前記ステージ部９０における案内部９６周辺の後方を視認不能としている。図７に示すように、前記枠状装飾部材６８には、ステージ部９０における転動面９４の後端縁から上方に立ち上がる後壁部材１００が設けられ、該後壁部材１００により転動面９４を転動するパチンコ球が遊技盤１８の後方(図柄表示装置３４の表示部６４側)へ移動するのを規制している。この後壁部材１００は、透明な合成樹脂で成形されており、該後壁部材１００を介して後述する発光演出装置１４２等は視認し得るようになっている。なお、図１は、後壁部材１００を枠状装飾部材６８から取外した状態で示している。
【００２６】
〔不正防止部について〕
前記不正防止部５４は、遊技者が上球皿２４を手前(遊技盤１８から離間する方向)へ引っ張ることで、透明部材２２と前記連結部５２の前端との間に隙間を形成し、当該隙間に複数のパチンコ球を堆積させる不正行為への対策として設けられるものである。この不正防止部５４は、薄板状の非透明部材で構成され、前記連結部５２における前端から遊技盤１８の盤面と平行に上方へ突出するよう形成されている。図８に示すように、不正防止部５４の前面は、内レール４０および第２内側面５０の前端から該不正防止部５４の厚み分だけ前方に位置している。すなわち、透明部材２２と不正防止部５４の前面との離間距離Ｌ1は、透明部材２２と前記レール部材３２(連結部５２)の前端との離間距離Ｌ2より不正防止部５４の厚み分だけ小さくなっている。不正防止部５４の厚み寸法は、内レール４０の内側面および第２内側面５０の前後幅に較べて小さく形成されており、実施例では、約３ｍｍに設定されている。このように、薄板状の不正防止部５４を連結部５２の前端に形成することで、図９に示すように、透明部材２２と連結部５２の前端との間に隙間が形成されたとしても、不正防止部５４の上部からパチンコ球を落下させて、不正防止部５４の上部にパチンコ球が堆積するのを困難としている。
【００２７】
前記不正防止部５４の上面１０２は、後方へ向かうにつれて下方傾斜するよう構成されており、パチンコ球を不正防止部５４の上面１０２から積極的に落下させるよう構成されている。図１０に示すように、不正防止部５４の上面１０２の中央部は、左右方向に水平に延在すると共に、該上面１０２の左右の縁部には、該不正防止部５４の左右方向の中央部から離間するにつれて円弧状に下方傾斜する傾斜部１０２ａ,１０２ａが形成されている。右側の傾斜部１０２ａは、前記第２内側面５０に漸次的に近接するよう下方傾斜しており、当該傾斜部１０２ａの右端部が第２内側面５０と滑らかに連なるよう形成されている。また、左側の傾斜部１０２ａは、前記内レール４０に漸次的に近接するよう下方傾斜して、当該傾斜部１０２ａの左端部が内レール４０と滑らかに連なるよう形成されている。すなわち、不正防止部５４の上面１０２の左右を内レール４０または第２内側面５０に滑らかに連なるよう構成することで、不正防止部５４の左右の縁部と内レール４０または第２内側面５０との境界部分(図１０の破線で囲んだ部分)に上下方向の段差が生じないようにして、当該境界部分にパチンコ球が引っ掛かり難くしている。また、前記不正防止部５４の左右の幅寸法Ｌ3は、図１０に示すように、アウト口５８の左右の幅寸法より大きく設定されている。
【００２８】
ここで、前記前枠２０は、中枠１４に対し左右の側部が固定されているため、遊技者が前記上球皿２４を手前へ引っ張った場合、前枠２０の下部における左右中央部が湾曲して遊技盤１８から離間することとなる。従って、前枠２０は、上球皿２４が設けられた下部側が遊技盤１８に対し最も離間するので、前記透明部材２２も下部側が連結部５２(遊技盤１８)から最も離間することとなる。すなわち、図９に示すように、遊技者が上球皿２４を手前に引っ張った場合に、透明部材２２は、上側から下側に向かうにつれて遊技盤１８から離間する傾斜姿勢となる。従って、不正防止部５４の連結部５２からの突出高さＬ4を大きくするに従い、傾斜姿勢となった透明部材２２と不正防止部５４の上面１０２との離間距離Ｌ1は小さくなる。一方、不正防止部５４の突出高さＬ4を大きくすれば、遊技者側から連結部５２上のパチンコ球が視認し難くなり、アウト口５８付近で球詰まりが発生したか否かについての確認が困難となってしまう。そこで、不正防止部５４の突出高さＬ4は、連結部５２上のパチンコ球を確認し得る範囲で極力大きな値に設定されるのが好ましく、実施例では、不正防止部５４の突出高さＬ4をパチンコ球の半径程度に設定してある。
【００２９】
〔入賞口用飾り部材について〕
前記入賞口用飾り部材８６は、図７に示すように、前記第３の貫通口８２を前側から覆い得る寸法および形状に形成された非光透過性の装飾板体１０４と、該装飾板体１０４に設けられ、前記一般入賞口８４が上部に形成された複数(実施例では３つ)の一般入賞部１０６,１０６,１０６と、該装飾板体１０４に配設され、光透過性を有すると共に光散乱処理が施された複数の光透過部材１０８とから構成される。そして、光透過部材１０８の後端部を第３の貫通口８２に対して前側から挿入して遊技盤１８の盤面に装飾板体１０４を当接させ、該装飾板体１０４を遊技盤１８に図示しないネジでネジ止めすることで、入賞口用飾り部材８６が遊技盤１８に位置決め固定される。図６に示すように、入賞口用飾り部材８６を遊技盤１８に取付けた状態で、前記光透過部材１０８は第３の貫通口８２に臨むよう構成される。
【００３０】
前記一般入賞部１０６には、前記一般入賞口８４に入賞したパチンコ球を後方へ送る断面Ｕ字状の排出樋１１０,１１２,１１４が、前記装飾板体１０４から後方へ突出するよう形成されている。そして、前記装飾板体１０４を遊技盤１８に取付けた際に、前記一般入賞口８４が前記遊技領域１６に開口すると共に、前記排出樋１１０,１１２,１１４が第３の貫通口８２に臨むようなっている。また、第３の貫通口８２に臨んだ排出樋１１０,１１２,１１４の後端部１１０ａ,１１２ａ,１１４ａは、該第３の貫通口８２の後方開口縁に位置して、後方に向けて開口している(図６参照)。なお、以下の説明では、最上部に位置する一般入賞部１０６から最下部に位置する一般入賞部１０６までを、順に第１〜第３の一般入賞部１０６,１０６,１０６と指称し、また、第１〜第３の一般入賞部１０６,１０６,１０６に対応する一般入賞口８４,８４,８４および排出樋１１０,１１２,１１４を、夫々、第１〜第３の一般入賞口８４,８４,８４および第１〜第３排出樋１１０,１１２,１１４と指称する場合がある。前記光透過部材１０８は、前記装飾板体１０４に前後に貫通するよう形成された取付け用開口部(図示せず)に後側から嵌め込まれた状態で該装飾板体１０４にネジ止めされる。入賞口用飾り部材８６を遊技盤１８に取付けた状態で光透過部材１０８の後端面は、図６に示すように、遊技盤１８の裏面より前方に位置するよう設定され、第３の貫通口８２内には、光透過部材１０８へ向けて光を照射する入賞口用発光装置(発光装置)１１６を収容可能な空間が確保されるようになっている。
【００３１】
〔裏ユニットについて〕
前記裏ユニット３６は、図１１,図１２,図１３に示すように、前方に開口する矩形箱状に形成された箱状本体１１８と、該箱状本体１１８の下端部に形成され、排出用球通路(球通路)１２０や複数の裏基板設置部１２２が形成された下部構造体１２４と、箱状本体１１８の開口前端部および下部構造体１２４の前端部に形成されて外側へ延出し、前記遊技盤１８の裏面に当接する設置固定部１２６とから基本的に構成される。箱状本体１１８は、前記遊技盤１８に対向する矩形板状に形成された対向面部１２８と、該対向面部１２８における上下左右の各縁部から前方に延出する画壁部１３０とから前方に開口するよう形成されて、上および左右の各画壁部１３０の前端部から箱状本体１１８の開口外側へ向けて延出するよう前記設置固定部１２６が形成されている。また、下部構造体１２４は、壁部によって前方に開口するよう形成されて、下および左右の壁部の前端から外側へ向けて前記設置固定部１２６が形成される。そして、各設置固定部１２６の前面を遊技盤１８の裏面に当接した状態で、図示しないネジを介して遊技盤１８に裏ユニット３６が着脱自在に固定されて、箱状本体１１８によって前記枠状装飾部材６８の図柄表示用開口部６６を後側から覆い得るよう構成される。
【００３２】
図１２に示すように、前記対向面部１２８には、上下および左右幅の大部分が開口する横長矩形状の開口部１３２が形成されており、以下の説明において、対向面部１２８における開口部１３２に対する上下左右に位置する部分について、上対向面部１２８ａ、下対向面部１２８ｂ、左対向面部１２８ｃ、右対向面部１２８ｄと夫々指称し、該上下左右の対向面部１２８ａ〜１２８ｄに対応する画壁部１３０を、上画壁部１３０ａ、下画壁部１３０ｂ、左画壁部１３０ｃ、右画壁部１３０ｄと夫々指称するものとする。図１４に示すように、前記裏ユニット３６における左対向面部１２８ｃの裏面に一対の支持部１３１,１３１が設けられると共に、前記右対向面部１２８ｄの裏面に一対の固定基部１３４,１３４が設けられている。そして、これら支持部１３１,１３１および固定基部１３４,１３４を介して前記図柄表示装置３４が裏ユニット３６の後面に取付けられ、該図柄表示装置３４の表示部６４が前記開口部１３２に臨んでいる。
【００３３】
前記箱状本体１１８の前側には、図１２に示すように、前記開口部１３２の左縁部、上縁部および右縁部を囲繞するように、左部演出装置１３６、上部演出装置１３８および右部演出装置１４０が配設されると共に、該開口部１３２の下縁部の略中央位置に発光演出装置１４２が配設され、遊技状態に合わせて各種の遊技演出を行ない得るようになっている。前記左対向面部１２８ｃには、図１３に示す如く、前記開口部１３２の左側縁部の略全体に亘って装飾カバー１４４が配設されている。この装飾カバー１４４の左側部には、前方へ向けて立設する装飾壁部１４４ａが形成されている。この装飾壁部１４４ａは、前記左部演出装置１３６の可動演出体２５８(後述)における左側部の外郭形状に整合する形状とされる。図１５に示すように、前記装飾カバー１４４における遊技盤１８に対向する部位は、後方へ凹んだ凹状部１４４ｂとされて、前記裏ユニット３６を遊技盤１８に取付けた際に、前記装飾カバー１４４の凹状部１４４ｂと遊技盤１８の裏面との間に前記可動演出体２５８を収容可能な収容部１４６が画成されるようになっている。
【００３４】
図１３に示すように、前記開口部１３２の左上隅部に対応する左対向面部１２８ｃおよび上対向面部１２８ａの連結部位には、前記左部演出装置１３６を設置するための装置設置部１４８が形成されている。この装置設置部１４８には、前記上対向面部１２８ａおよび左対向面部１２８ｃから前方へ突出する複数のボス部１４８ａが設けられている。更に、前記左対向面部１２８ｃには、前後方向に開放するモータ用円形孔部１５０が開設されている。また、左対向面部１２８ｃには、前記装飾カバー１４４と左画壁部１３０ｃとの間のスペースに表中継基板１５２が配設され、該表中継基板１５２のコネクタ受部１５２ａに、前記左部演出装置１３６から導出する配線２７２ｇ,３２０ｆが中継接続されるようになっている。なお、前記左画壁部１３０ｃにおける前記表中継基板１５２の上方位置には、配線フック１３０ｅが設けられている。
【００３５】
前記下対向面部１２８ｂにおける左右方向の略中央位置には、前記発光演出装置１４２を設置するための中央設置部１５４が形成されている。この中央設置部１５４は、裏ユニット３６を遊技盤１８に取付けた際に、前記ステージ部９０の案内部９６の後方に位置するよう構成される。前記中央設置部１５４には、前記下対向面部１２８ｂから前方へ突出する一対の下側ボス部１５６,１５６と、同じく下対向面部１２８ｂから前方へ突出すると共に該下側ボス部１５６より上方に位置する一対の上側ボス部１５８,１５８とが形成されている(図１６参照)。前記下側ボス部１５６の前方への突出量は、前記上側ボス部１５８より大きく設定されている。前記中央設置部１５４には、前後方向に開放する中配線通孔１６０が形成されており、該中配線通孔１６０を介して発光演出装置１４２から導出する配線２２４ｃ,２３２ｅ,２５２ｇが裏ユニット３６の裏側へ引き出されるようになっている(図１４参照)。また、前記下対向面部１２８ｂにおける中央設置部１５４の左側に、前後方向に開放する左配線通孔１６２が形成され、前記表中継基板１５２から導出する配線１５２ｂ等が左配線通孔１６２を介して裏ユニット３６の裏側へ引き出される。
【００３６】
〔下部構造体の構成について〕
前記下部構造体１２４の裏面には、前記裏基板設置部１２２が複数形成され、各裏基板設置部１２２に裏中継基板１６４が取付けられている。裏中継基板１６４には、複数のコネクタ受部１６４ａが設けられており、前記表中継基板１５２や発光演出装置１４２等から導出した配線１５２ｂ,２３２ｅ,２２４ｃ,２５２ｇ,２０２ｅが裏中継基板１６４のコネクタ受部１６４ａに接続されている(図１４参照)。
【００３７】
図１３,１６に示す如く、前記下部構造体１２４の前側中央には、前方および下方に開放して前記始動入賞装置７２の本体部７２ａを収容可能な中収容部１６６が画成されている。また、下部構造体１２４の下端部には、上側に向けて凹設された収容凹部１６８が前記中収容部１６６の下方に位置して設けられている。前記収容凹部１６８は、前記特別入賞装置７６の本体部７６ａを収容可能に構成される。そして、図１５に示すように、裏ユニット３６を遊技盤１８に取付けた際に、該遊技盤１８の第２の貫通口８０を介して遊技盤１８の裏側に突出する始動入賞装置７２の本体部７２ａおよび特別入賞装置７６の本体部７６ａが、夫々、前記中収容部１６６および収容凹部１６８に収容される。すなわち、実施例では、前記裏ユニット３６の開口部１３２の下縁部における中央位置から下部構造体１２４の下端部までの狭小なスペースに、前記中央設置部１５４、中収容部１６６および収容凹部１６８が上下の関係で並んで設けられている。
【００３８】
図１２に示すように、前記下部構造体１２４には、磁力を検知可能な磁気センサ(図示せず)を収容する直方体状のセンサ収容ケース１７０が左右に離間して２つ形成されている。各磁気センサは、長方形状のケーシングの内部に、その長手方向に沿う方向に延在する一対のリード片の一部を接離可能に対向配置して構成されたリードスイッチである。右側のセンサ収容ケース１７０には、磁気センサが縦方向(上下方向)に設置され、また、左側のセンサ収容ケース１７０には、磁気センサが横方向(左右方向)に設置される。各センサ収容ケース１７０は、磁気センサの前側に位置して該センサの前面を保護する矩形板状の前カバー１７０ａを備える。前記前カバー１７０ａの前面は、前記設置固定部１２６の前面と同一面上に位置している。
【００３９】
〔排出用球通路について〕
前記下部構造体１２４の左部には、一般入賞口８４に入賞したパチンコ球を遊技盤１８の下方へ排出案内する排出用球通路１２０が形成されている。前記排出用球通路１２０は、図１１に示すように、前方に開口する３つの通路１７２,１７４,１７６を連通して構成され、各通路１７２,１７４,１７６を画成する通路用壁部１７８の前端部１７８ａは、前記裏ユニット３６の設置固定部１２６の前面より僅かに後方に位置している。また、図１６に示すように、前記排出用球通路１２０の前面開口は、前記排出樋１１０,１１２,１１４の後端部１１０ａ,１１２ａ,１１４ａに対応する部位を除いてカバー部材１８０により閉鎖されるようになっている。
【００４０】
前記排出用球通路１２０は、該排出用球通路１２０の左部に湾曲するよう延在して前記第１の一般入賞口８４に連通する第１通路１７２と、排出用球通路１２０の右部に湾曲するよう延在して第２の一般入賞口８４に連通する第２通路１７４と、排出用球通路１２０の左右中央部に位置して上下に直線状に延在し、前記第３の一般入賞口８４に連通する第３通路１７６とから構成される。第１通路１７２および第２通路１７４は、下流端側で前記第３通路１７６に連通しており、各一般入賞口８４に入賞したパチンコ球は、第３通路１７６に集合されて該第３通路１７６の下流端に形成した球排出口１８２を介して機外に排出されるよう構成される。前記第１〜第３通路１７２,１７４,１７６の上端部は、夫々、前記裏ユニット３６における第１〜第３排出樋１１０,１１２,１１４の後端部１１０ａ,１１２ａ,１１４ａに対応する位置に形成される。また、前記第１通路１７２の上端部は、前記左側のセンサ収容ケース１７０の前カバー１７０ａ(以下、左前カバー１７０ａという)の左方に隣接している。
【００４１】
前記第３通路１７６における前記球排出口１８２を画成する下端部には、前後方向に開放するスイッチ設置部１８４が形成され、該スイッチ設置部１８４に、パチンコ球を検知する球検知スイッチ(球検知手段)１８６が前側から設置されるようになっている。図１４に示すように、前記スイッチ設置部１８４の後部には、前記球検知スイッチ１８６の後端部に係合して該球検知スイッチ１８６の後方への位置規制を行なう位置決め片１８８が設けられている。前記球検知スイッチ１８６は、矩形状に形成された本体部１８６ａと、パチンコ球が通過可能な円形状の貫通孔を有する検知部１８６ｂとから構成され、該球検知スイッチ１８６は、前記検知部１８６ｂを前記球排出口１８２に臨ませた状態でスイッチ設置部１８４に設置される。前記一般入賞口８４に入賞して、前記排出用球通路１２０を流下したパチンコ球が球検知スイッチ１８６に検知されると、所定数の賞球が前記上球皿２４に払出されるようになっている。図１７に示すように、前記スイッチ設置部１８４の前方開口端は、前記排出用球通路１２０の通路用壁部１７８の前端１７８ａと同一面上に位置している。なお、排出用球通路１２０と下部構造体１２４の左壁部との間には、図１１に示すように、上下方向に延在して、前記カバー部材１８０に収容される前記入賞口用発光装置１１６から導出する配線２０２ｅを案内する配線通路１９０が画成されている。
【００４２】
〔カバー部材について〕
図１８に示すように、前記カバー部材１８０は、前記排出用球通路１２０を前側から閉塞する板状の透明部材であって、カバー部材１８０の周縁部に、ボス受け部１８０ａが複数形成されている。そして、前記ボス受け部１８０ａを下部構造体１２４および左対向面部１２８ｃに形成した対応のボス部１２４ａ,１２８ｅに整合させて、ボス受け部１８０ａに開設した通孔を介してボス部１２４ａ,１２８ｅにネジ(図示せず)を螺挿することで、カバー部材１８０が裏ユニット３６に取付けられるようになっている。前記カバー部材１８０の前後の厚み寸法は、前記排出用球通路１２０の通路用壁部１７８の前端１７８ａと前記設置固定部１２６の前面との前後方向の離間距離より小さく設定されている。
【００４３】
前記カバー部材１８０には、前記第２排出樋１１２および第３排出樋１１４の後端部１１２ａ,１１４ａに対応する部位に、前後方向に貫通する２つの通過口１９２,１９２が形成されている。各通過口１９２は、前記排出樋１１０,１１２の後端部１１０ａ,１１２ａに整合するよう下縁部がＵ字状に形成されている。前記カバー部材１８０を裏ユニット３６に取付けた状態において、前記第２排出樋１１２に対応する通過口１９２は、前記第２通路１７４の上端部の前方で位置すると共に、前記第３排出樋１１４に対応する通過口１９２は、前記第３通路１７６の上端部の前方に位置するよう構成される。また、前記カバー部材１８０の縁部には、前記第１排出樋１１０の後端部１１０ａに対応する位置に、該第１排出樋１１０の後端部１１０ａの下部および左側部に整合する円弧状に形成された通過部１９４が形成され、該通過部１９４は、カバー部材１８０を裏ユニット３６に取付けた状態で、前記第１通路１７２の上端部の前方に位置するよう構成される。また、前記通過部１９４は、カバー部材１８０を裏ユニット３６に取付けた状態で、前記左前カバー１７０ａにおける左側縁部の左方に隣接するようになっている(図１２参照)。
【００４４】
前記通過口１９２,１９２および通過部１９４の周縁部には、外周縁部から前方へ突出するよう形成されて、対応の排出樋１１０,１１２,１１４の後端部１１０ａ,１１２ａ,１１４ａに当接可能な連通突部１９６が夫々形成されている。前記連通突部１９６におけるカバー部材１８０の前面からの突出量は、該カバー部材１８０の前面と前記設置固定部１２６の前面との前後方向における離間距離と略一致するよう設定される。すなわち、前記連通突部１９６の前記カバー部材１８０の前面からの突出量は、前記裏ユニット３６を遊技盤１８に取付けた際に、前記カバー部材１８０の前面と各排出樋１１０,１１２,１１４の後端部１１０ａ,１１２ａ,１１４ａとの前後方向における離間距離に略一致するよう設定されている。そして、図１９に示すように、裏ユニット３６を遊技盤１８に取付けた際に、前記連通突部１９６の前端部が、前記排出樋１１０,１１２,１１４の後端部１１０ａ,１１２ａ,１１４ａに夫々当接するよう構成されている。
【００４５】
そして、前記連通突部１９６が各排出樋１１０,１１２,１１４の後端部１１０ａ,１１２ａ,１１４ａに当接することで、当該排出樋１１０,１１２,１１４と対応の第１〜第３通路１７２,１７４,１７６とが連通するようになっている。なお、通過部１９４に設けられた連通突部１９６は、第１排出樋１１０の後端部１１０ａにおける左側部および下部に当接するようになっている。一方、第１排出樋１１０の後端部１１０ａにおける右側部には、前記左前カバー１７０ａの左側縁部が当接する。すなわち、第１排出樋１１０の後端部１１０ａに、連通突部１９６および左前カバー１７０ａの左側縁部が当接することで、該第１排出樋１１０と第１通路１７２との連通が図られるよう構成される。
【００４６】
前記カバー部材１８０における前記遊技盤１８の裏面に対向する周縁部には、該カバー部材１８０の前面から前方へ突出するよう形成されて該遊技盤１８の裏面に当接可能な線状の当接突部１９８を備えている。前記当接突部１９８のカバー部材１８０の前面からの突出量は、前記カバー部材１８０の前面と前記設置固定部１２６の前面との前後方向における離間距離と略一致するよう設定される。すなわち、当接突部１９８の突出量は、裏ユニット３６を遊技盤１８に取付けた際に、前記カバー部材１８０の前面から遊技盤１８の裏面までの離間距離と略一致する値に設定され、図１９に示すように、裏ユニット３６を遊技盤１８に取付けた際に、当接突部１９８の前端部が遊技盤１８の裏面に当接するよう構成される。前記当接突部１９８が遊技盤１８の裏面に当接することで、カバー部材１８０の周縁部が遊技盤１８によって後方へ押圧され、該カバー部材１８０の後面と排出用球通路１２０の各通路用壁部１７８の前端１７８ａとの密着性が向上されるようになっている。
【００４７】
前記カバー部材１８０の前面には、前記第３の貫通口８２に対応する部位に、前記入賞口用発光装置１１６を設置するための発光装置用設置部２００が設けられている。前記発光装置用設置部２００には、カバー部材１８０の前面から突出成形されると共に、前記入賞口用発光装置１１６の入賞口用発光基板２０２の外縁に沿うよう延在する位置決めリブ２００ａが形成されている。また、前記発光装置用設置部２００には、カバー部材１８０の前面から前方へ突出する位置決め突起２００ｂおよび前後方向に開放する位置決め孔２００ｃが複数形成されると共に、前方に開放したネジ孔２００ｄが複数形成されている。
【００４８】
また、カバー部材１８０の下縁部には、下方へ突出するよう規制部２０４が形成されており、カバー部材１８０を裏ユニット３６に取付けた際に、前記排出用球通路１２０のスイッチ設置部１８４の前方開口を規制部２０４が閉塞するよう構成される。そして、図１７に示すように、前記規制部２０４は、前記スイッチ設置部１８４に設置された球検知スイッチ１８６の前端部に前方から当接して、該球検知スイッチ１８６を位置規制するようになっている。更に、発光装置用設置部２００には、前記カバー部材１８０を裏ユニット３６に取付けた際に配線通路１９０に対応する部位に、前後方向に開放する矩形開口部２０６が形成されている。
【００４９】
前記入賞口用発光装置１１６は、前記第３の貫通口８２の内部に臨み得る形状および大きさに形成された入賞口用発光基板２０２と、該発光基板２０２の前面(実装面)に実装されたＬＥＤからなる複数の発光素子２０２ａとから構成され、該発光素子２０２ａが発光することで前記光透過部材１０８を後方から照明するものである。前記入賞口用発光基板２０２の外縁部には、前記発光装置用設置部２００の位置決め突起２００ｂに対応する位置決め凹部２０２ｂが凹設されると共に、該発光装置用設置部２００の前記ネジ孔２００ｄに対応する通孔２０２ｃが開設されている。
【００５０】
また、入賞口用発光基板２０２の裏面には、コネクタ受部２０２ｄが後方へ突出して設けられており、該発光基板２０２を発光装置用設置部２００に設置した際に、該コネクタ受部２０２ｄが前記矩形開口部２０６を介してカバー部材１８０の後面から突出するよう構成される。なお、カバー部材１８０の後面から突出したコネクタ受部２０２ｄは、カバー部材１８０を裏ユニット３６に取付けた際に、前記配線通路１９０内に臨むよう構成され、コネクタ受部２０２ｄに接続された配線２０２ｅは、配線通路１９０を介して上方へ案内されて、裏ユニット３６の左配線通孔１６２から後方へ引き出されるようになっている。
【００５１】
前記発光装置用設置部２００の前側には、前記入賞口用発光装置１１６を収容可能なケース体２０８が配設される。このケース体２０８は、全体が透明な合成樹脂材から形成されたものであって、前記遊技盤１８に形成された第３の貫通口８２における各排出樋１１０,１１２,１１４が臨む部位を除く部分の開口形状と略相似する形状に形成されている。前記ケース体２０８は、平板状の板部の外周縁に後方へ突出する壁部を形成して構成され、ケース体２０８の後側に前記入賞口用発光装置１１６を収容し得る空間が画成されている。前記ケース体２０８の壁部の後端は、該ケース体２０８をカバー部材１８０に取付けた際に、前記カバー部材１８０の位置決めリブ２００ａの前端に当接するよう構成されている。
【００５２】
前記ケース体２０８には、前記入賞口用発光基板２０２の通孔２０２ｃに整合する通孔２０８ａが開設されると共に、後方に突出する位置決め突起２０８ｂが形成される。そして、ケース体２０８の位置決め突起２０８ｂをカバー部材１８０の位置決め孔２００ｃに挿入したもとで、ケース体２０８および入賞口用発光基板２０２の両通孔２０８ａ,２０２ｃを介して前記カバー部材１８０のネジ孔２００ｄにネジ(図示せず)を螺挿することで、ケース体２０８が入賞口用発光装置１１６を収容した状態でカバー部材１８０の前側に取付けられる。ここで、前記ケース体２０８をカバー部材１８０に取付けた状態では、図１６に示すように、カバー部材１８０(入賞口用発光装置１１６)は下部構造体１２４の前面から前方へ突出した状態となる。従って、裏ユニット３６を遊技盤１８の裏面に取付けた際に、図１９に示すように、入賞口用発光装置１１６が遊技盤１８の第３の貫通口８２に臨んで、前記入賞口用飾り部材８６の光透過部材１０８の裏側に対向するようになっている。
【００５３】
〔発光演出装置について〕
図２１,図２０に示すように、前記ステージ部９０に光を後方から照射して該ステージ部９０を明輝させる発光演出装置１４２は、回転自在に構成されると共に発光領域２１０が形成された演出部２１２と、該演出部２１２の後方に設けられ、該発光領域２１０へ光を照射する複数の発光素子(発光体)２３２ａを備えた演出部用発光装置２１４と、該演出部用発光装置２１４を収容する装置本体２１６とから構成される。前記演出部２１２は、全体が光透過性を有する円盤状の部材であって、実施例では、演出部２１２の前面全体が発光領域２１０を構成している。前記発光領域２１０は、演出部２１２の前面に多数の凹凸による光散乱処理を施すことで構成され、この凹凸で前記発光素子２３２ａからの光を他方向へ散乱して自ら明輝するものである。また、前記演出部２１２の前面(発光領域２１０)には、光透過性を有する円形装飾板２１８が配設されている。
【００５４】
この円形装飾板２１８の前面には、前記演出部２１２が回転する方向に交差する方向(演出部２１２の径方向)の装飾が施されており、該円形装飾板２１８の装飾により発光領域２１０での光の散乱効果を高めるよう構成される。また、前記演出部２１２の裏面には、前記装置本体２１６の内部に回転可能に設けられる円形状の連結部材２２０が連結される。前記連結部材２２０には、前記演出部２１２の裏面に対し交差する方向に延在する連結軸孔２２２ａが開設された演出部用回転軸(回転軸)２２２が形成され、該連結軸孔２２２ａに前記装置本体２１６に配設された演出部用モータ(駆動手段)２２４の駆動軸２２４ａが接続される。すなわち、前記演出部２１２は、前記連結部材２２０を介して装置本体２１６に回転自在に配設されて、前記演出部用モータ２２４の駆動により正逆方向に回転されるよう構成される。なお、前記連結部材２２０の外周縁には、径方向へ突出する検知片２２０ａが形成されている。
【００５５】
前記装置本体２１６は、前記演出部用発光装置２１４が取付けられる前側ケース２２６と、該前側ケース２２６の裏側に配設されると共に前記演出部用モータ２２４が取付けられる後側ケース２２８とから構成される。前記前側ケース２２６の前側には、正面視で８角形状に形成されて光散乱処理が施された磨りガラス状の散乱カバー２３０が配設され、前記演出部用発光装置２１４から照射された光を散乱カバー２３０で散乱するよう構成される。前記散乱カバー２３０には、前後方向に開放する連結用開口部２３０ａが形成され、該連結用開口部２３０ａを介して連結部材２２０が前記演出部２１２に連結している。
【００５６】
図２１に示すように、前記前側ケース２２６の裏面には、複数のボス部２２６ａが後方へ突出して形成されると共に、前記散乱カバー２３０の裏面に、前記演出部用発光装置２１４を設置するための設置用突部２３０ｂが複数後方へ突出して形成されている。また、散乱カバー２３０の裏面には、前記演出部用発光装置２１４の演出部用発光基板２３２(後述)を位置決めする位置決め突起２３０ｃが左右に離間して２つ形成されている。前記前側ケース２２６の上縁部には、後方へ延出する庇状壁部２２６ｂが形成されると共に、前側ケース２２６の下部には、前後方向に開放する設置用開口部２２６ｃが形成されている。
【００５７】
前記演出部用発光装置２１４は、全体が略半円弧状に延在すると共に上縁部が前記前側ケース２２６の上部形状に沿う形状とされた演出部用発光基板２３２と、該発光基板２３２の前面に配設され前方へ向けて光を照射する複数の前記発光素子２３２ａとから構成される。前記演出部用発光基板２３２には、前記散乱カバー２３０の設置用突部２３０ｂに対応して通孔２３２ｂが複数開設されると共に、該散乱カバー２３０の位置決め突起２３０ｃに対応して位置決め孔２３２ｃが複数開設されている。そして、演出部用発光基板２３２は、該発光基板２３２の位置決め孔２３２ｃに散乱カバー２３０の位置決め突起２３０ｃを挿入すると共に、演出部用発光基板２３２の通孔２３２ｂを介して設置用突部２３０ｂにネジ(図示せず)を螺挿することで、演出部用発光基板２３２が前側ケース２２６(散乱カバー２３０)の裏側に取付けられるようになっている。前記演出部用発光基板２３２は、前記前側ケース２２６に取付けられた状態で、該前側ケース２２６の上部側に偏倚して位置するようになっている。なお、前記演出部用発光基板２３２の裏面における右端部には(図２１では左端部)、コネクタ受部２３２ｄが後方へ突出して設けられている。
【００５８】
前記発光素子２３２ａはＬＥＤから構成され、実施例では、複数の発光素子２３２ａが演出部用発光基板２３２の前面に円弧形状をなすよう配設されている。前記演出部用発光基板２３２に設置された発光素子２３２ａは、演出部用発光基板２３２を散乱カバー２３０に取付けた際に、散乱カバー２３０(前側ケース２２６)の上半分の領域に偏倚している。すなわち、図２２に示すように、装置本体２１６において発光素子２３２ａが設置される領域は、前記演出部２１２の発光領域２１０より狭い範囲となっており、発光素子２３２ａからの光は発光領域２１０の上部側にのみ照射されることとなる。そこで、実施例に係る発光演出装置１４２では、演出部２１２を回転させると共に発光領域２１０および円形装飾板２１８に光散乱処理を施すことで、発光領域２１０の上部側に照射された光を効果的に散乱させて、発光領域２１０全体が発光し得るよう構成される。
【００５９】
前記演出部用発光装置２１４の各発光素子２３２ａは、図示しない制御装置の制御信号に基づいて発光制御されるよう構成される。実施例では、発光素子２３２ａの発光パターンを制御することで、遊技態様に合わせた各種の発光演出を行ない得るようになっている。具体的には、全ての発光素子２３２ａを一斉に点灯または消灯させたり、点滅させたりする発光演出や、前記演出部２１２の回転方向および回転速度に合わせて、発光素子２３２ａを単位数ずつ順番に点灯および消滅を繰返す発光演出を行ない得るようになっている。
【００６０】
前記後側ケース２２８は、前記散乱カバー２３０と略相似形の取付けカバー２３４と、該取付けカバー２３４の左右および下部側の縁部から前方へ延出する前方壁部２３６とから構成され、該後側ケース２２８の前側に前記演出部用発光装置２１４を収容可能な空間が画成される。前記取付けカバー２３４には、前記前側ケース２２６のボス部２２６ａに対応してボス受け部２３４ａが複数形成されており、前側ケース２２６のボス部２２６ａの後端部を該ボス受け部２３４ａに整合させたもとで、ボス受け部２３４ａの通孔を介してボス部２２６ａにネジ(図示せず)を螺挿することで、後側ケース２２８が前側ケース２２６にネジ止めされる。前記後側ケース２２８が前側ケース２２６に取付けられた状態では、前記演出部用発光装置２１４が後側ケース２２８の前側に収容されると共に、演出部用発光基板２３２の後面を前記取付けカバー２３４が裏側から覆うようになっている(図２３参照)。また、図２２に示すように、前記後側ケース２２８の前側における前記演出部用発光装置２１４が設けられていない下部領域には、所要の空間(以下、下部スペース２３８と指称する)が確保される。
【００６１】
前記後側ケース２２８の前方壁部２３６には、該前方壁部２３６から下方へ延出する一対の下側固定片２４０,２４０と、前方壁部２３６における下側固定片２４０より上方の部位から水平方向に延出する一対の上側固定片２４２,２４２とが形成されている。前記下側固定片２４０には、前記裏ユニット３６の下側ボス部１５６に対応するボス受け部２４０ａが形成されると共に、前記上側固定片２４２には、裏ユニット３６の上側ボス部１５８に対応するボス受け部２４２ａが形成されている。更に、後側ケース２２８の前方壁部２３６には、左下部に位置して、下方に向けて開放する配線用切欠部２４４が形成されている。図２１に示すように、前記取付けカバー２３４の後部には、前記演出部用モータ２２４を取付けるための円形状の設置凹部２４６が、該取付けカバー２３４の後面から前方へ突出した状態で形成されている。この設置凹部２４６には、左右に離間してネジ孔２４６ａ,２４６ａが形成されると共に、左右方向の中央部分に、前記演出部用モータ２２４の駆動軸２２４ａが挿通可能な軸挿通孔２４６ｂが開設されている。
【００６２】
前記設置凹部２４６に取り付けられる演出部用モータ２２４は、本体の前側に円形状取付部２４８が設けられ、該円形状取付部２４８の前面から前記駆動軸２２４ａが前方へ突出している。前記円形状取付部２４８の縁部には、左右に離間して一対のモータ取付片２４８ａ,２４８ａが突出成形されている。そして、演出部用モータ２２４の駆動軸２２４ａを設置凹部２４６の軸挿通孔２４６ｂに挿通すると共に、設置凹部２４６のネジ孔２４６ａに前記モータ取付片２４８ａの通孔を介してネジ(図示せず)をネジ孔に螺挿することで、演出部用モータ２２４の駆動軸２２４ａが取付けカバー２３４の前面から突出した状態で、演出部用モータ２２４が設置凹部２４６にネジ止めされる。
【００６３】
なお、前記演出部用モータ２２４の本体の下部にコネクタ受部２２４ｂが突出して形成されており、該コネクタ受部２２４ｂに配線２２４ｃが接続されている(図２３参照)。そして、発光演出装置１４２を裏ユニット３６の中央設置部１５４に取付けた際に、前記演出部用モータ２２４のコネクタ受部２２４ｂが中央設置部１５４の前記中配線通孔１６０に臨むよう構成される。更に、演出部用モータ２２４のコネクタ受部２２４ｂに接続された配線２２４ｃは、中配線通孔１６０を介して裏ユニット３６の裏側に引き出され、前記裏基板設置部１２２の裏中継基板１６４に接続される。
【００６４】
図２３に示すように、前記取付けカバー２３４における前記設置凹部２４６の右側(図２３では左側)には、前後方向に開放するコネクタ用開口部２５０が開設されており、前記後側ケース２２８を前側ケース２２６に取付けた際に、前記演出部用発光基板２３２の裏面に設けたコネクタ受部２３２ｄがコネクタ用開口部２５０を介して後方に臨むようになっている。そして、コネクタ受部２３２ｄに接続された配線２３２ｅは、コネクタ用開口部２５０を介して後方へ引き出される。なお、コネクタ用開口部２５０を介して後方へ引き出された配線２３２ｅは、前記中配線通孔１６０を介して裏ユニット３６の裏側へ引き出され、前記裏基板設置部１２２の裏中継基板１６４に接続される(図１４参照)。
【００６５】
前記取付けカバー２３４の下部スペース２３８には、図２２に示す如く、演出部２１２の原位置を検知する演出部用原位置スイッチ(原位置スイッチ)２５２を設置するためのスイッチ設置部２５４が形成されている。前記スイッチ設置部２５４は、取付けカバー２３４に前後方向に開設されたネジ孔２５４ａと、該取付けカバー２３４から前方に突出した位置決め突起２５４ｂと、前記設置凹部２４６の壁部から前記軸挿通孔２４６ｂへ向けて凹設した位置決め凹部２５４ｃ(図２０参照)とから構成される。前記演出部用原位置スイッチ２５２は、前記取付けカバー２３４に当接した状態で固定される薄板状の固定部２５２ａと、該固定部２５２ａの長手方向の略中央部から前方に突出成形された直方体状の基部２５２ｂと、該基部２５２ｂの一面に前後に離間して設けられ、該基部２５２ｂから突出するよう成形された一対の検知部２５２ｃ,２５２ｃとから構成されている。
【００６６】
前記固定部２５２ａには、一端側に通孔２５２ｄが開設されると共に、他端側に位置決め孔２５２ｅが開設されている。また、前記検知部２５２ｃは、開放端部側が前記位置決め凹部２５４ｃに整合し得る形状に形成されている。そして、後方の検知部２５２ｃの端部側を前記位置決め凹部２５４ｃに臨ませると共に前記固定部２５２ａの通孔２５２ｄを前記スイッチ設置部２５４のネジ孔２５４ａに整合させる。更に、固定部２５２ａの位置決め孔２５２ｅにスイッチ設置部２５４の位置決め突起２５４ｂを挿入すると共に、該固定部２５２ａの通孔２５２ｄを介して該スイッチ設置部２５４のネジ孔２５４ａにネジ(図示せず)を螺挿することで、演出部用原位置スイッチ２５２が後側ケース２２８のスイッチ設置部２５４に取付けられる。
【００６７】
ここで、前記スイッチ設置部２５４に設置された演出部用原位置スイッチ２５２は、図２２に示すように、両検知部２５２ｃ,２５２ｃの間の空間を回転時の連結部材２２０の検知片２２０ａが通過する領域に臨ませている。そして、連結部材２２０の検知片２２０ａが検知部２５２ｃ,２５２ｃの間を通過することで、演出部用原位置スイッチ２５２が演出部２１２の原位置を検知し得るようになっている。図２２に示す如く、前記基部２５２ｂにおける前記検知部２５２ｃとは反対側の面に、コネクタ受部２５２ｆが突出して設けられており、演出部用原位置スイッチ２５２をスイッチ設置部２５４に設置した際に、コネクタ受部２５２ｆが前記配線用切欠部２４４に臨むよう構成される。そして、演出部用原位置スイッチ２５２のコネクタ受部２５２ｆに接続された配線２５２ｇは、前記配線用切欠部２４４を介して後側ケース２２８の外部へ引き出され、前記演出部用モータ２２４の配線２２４ｃと同様に前記裏ユニット３６の裏中継基板１６４に接続される(図１４参照)。
【００６８】
前記発光演出装置１４２は、後側ケース２２８の下側固定片２４０および上側固定片２４２を介して前記裏ユニット３６(下対向面部１２８ｂ)の中央設置部１５４に取付けられる。すなわち、両下側固定片２４０,２４０のボス受け部２４０ａ,２４０ａを前記中央設置部１５４における対応の下側ボス部１５６,１５６の後端部に整合させると共に、両上側固定片２４２,２４２のボス受け部２４２ａ,２４２ａを対応の上側ボス部１５８,１５８の後端部に整合させる。そして、各ボス受け部２４２ａに設けた通孔を介して下側ボス部１５６および上側ボス部１５８にネジ(図示せず)を螺挿することで、発光演出装置１４２が中央設置部１５４に取付けられる。ここで、前述のように、前記下側ボス部１５６の前方への突出量は、上側ボス部１５８の突出量よりも大きく設定されていることから、前記発光演出装置１４２は、図１５に示す如く、該発光演出装置１４２(演出部２１２)の下部側を前方に傾斜させた姿勢で中央設置部１５４に取付けられる。
【００６９】
更に、前記裏ユニット３６を遊技盤１８に取付けた際には、図１に示すように、発光演出装置１４２は、前記ステージ部９０における案内部９６の後方に位置する。また、前記裏ユニット３６における前記中央設置部１５４の下方では、前記遊技盤１８の第２の貫通口８０を介して該遊技盤１８の裏側へ延出する始動入賞装置７２や特別入賞装置７６の本体部７２ａ,７６ａが前記中収容部１６６および収容凹部１６８に臨んだ状態となる。更に、中央設置部１５４の上方には、図柄表示装置３４の表示部６４が臨む開口部１３２が形成されている。すなわち、裏ユニット３６におけるステージ部９０の後方は、図１５に示すように、前記始動入賞装置７２や特別入賞装置７６の本体部７２ａ,７６ａにより下側のスペースが制限されると共に、前記開口部１３２により上側へのスペースが制限されている。そこで、実施例では、前記演出部用発光装置２１４を装置本体２１６の上部側 (発光領域２１０より狭い範囲)にのみ設置することで、装置本体２１６のサイズをコンパクトにして、裏ユニット３６におけるステージ部９０の後方の狭小なスペースにも発光演出装置１４２を設置し得る構成とされる。
【００７０】
更に、図１に示すように、実施例に係る発光演出装置１４２は、裏ユニット３６に設置された状態で、前記発光素子２３２ａが設置されていない領域(すなわち、前記下部スペース２３８)に対応する前記発光領域２１０の下部(一部)側が、前記ステージ部９０の転動面９４より下方に位置している。従って、下部スペース２３８に設けた演出部用原位置スイッチ２５２は、前記ステージ部９０の転動面９４より下方に位置して、前記装飾板９８により隠されるようになっている。すなわち、実施例の発光演出装置１４２は、前記発光領域２１０における図柄表示用開口部６０側に臨む部分(転動面９４より上側の部分)に対応して、発光素子２３２ａが配置されている。
【００７１】
〔左部演出装置について〕
前記左部演出装置１３６は、図２４,図２５に示すように、前記裏ユニット３６に取付けられる取付けケース２５６と、該取付けケース２５６に回動自在に保持される可動演出体２５８と、該可動演出体２５８に設けられた回転演出体２６０と、取付けケース２５６に設けられて可動演出体２５８を回動させる可動体用モータ(駆動手段)２６２とから基本的に構成される。前記取付けケース２５６は、前ケース体２６４および後ケース体２６６を前後の関係で組付けて構成され、両ケース体２６４,２６６の内部に前記可動演出体２５８の一端側を収容するようになっている。
【００７２】
前記前ケース体２６４は、前記遊技盤１８に対向する板状の前ケース基体２６８と、該前ケース基体２６８の右側に突出した部位を除く外周縁から後方へ延出する壁部とで構成されており、該前ケース基体２６８の後面から後方へ向けて複数のボス部２６８ａが突出成形されている。また、前ケース基体２６８には、前方へ突出すると共に後方へ開放した前軸受け部２７０が形成されると共に、前記可動演出体２５８の原位置を検知する可動体用原位置スイッチ(原位置スイッチ)２７２を設置するためのスイッチ取付部２７４が前ケース基体２６８の後面における上部に形成されている。前記スイッチ取付部２７４は、前記前ケース基体２６８の後面から後方へ突出成形されたボス部２７４ａと、前ケース基体２６８の後面におけるボス部２７４ａと所定間隔離間した位置に後方へ突出成形された位置決め突起２７４ｂと、該前ケース基体２６８の後面にコ字状に成形された位置決めリブ２７４ｃとから構成されている。更に、前ケース基体２６８には、前記スイッチ取付部２７４に近接して前配線用開口部２７７が前後方向に開放して形成される。
【００７３】
前記可動体用原位置スイッチ２７２は、前記スイッチ取付部２７４のボス部２７４ａおよび位置決め突起２７４ｂ間に架設される薄板状の固定部２７２ａと、該固定部２７２ａの長手方向の略中央部から前方へ突出成形された直方体状の基部２７２ｂと、該基部２７２ｂの一面において前後方向に離間して設けられ、固定部２７２ａの長手方向に交差する方向に突出した一対の検知部２７２ｃとから構成されている。前記固定部２７２ａは、一端側に前後方向に開放する通孔２７２ｄが開設されると共に、他端側に前後方向に開放する位置決め孔２７２ｅが形成されている。また、前記検知部１８６ｂの開放端部側は、前記位置決めリブ２７４ｃに整合し得る形状に形成されている。そして、前記スイッチ取付部２７４のボス部２７４ａおよび位置決め突起２７４ｂの間に可動体用原位置スイッチ２７２の基部２７２ｂを臨ませ、前側の検知部１８６ｂを位置決めリブ２７４ｃに整合させたもとで、可動体用原位置スイッチ２７２の固定部２７２ａの位置決め孔２７２ｅに位置決め突起２７４ｂを挿入させる。そして、前記固定部２７２ａの通孔２７２ｄを介して前記スイッチ取付部２７４のボス部２７４ａにネジ(図示せず)を螺挿することで、可動体用原位置スイッチ２７２が、両検知部１８６ｂ,１８６ｂを前記前軸受け部２７０に指向させた状態で前記スイッチ取付部２７４に取付けられる。
【００７４】
前記基部２７２ｂの検知部１８６ｂとは反対側の面には、コネクタ受部２７２ｆが設けられ、該コネクタ受部２７２ｆに接続された配線２７２ｇは、前記前配線用開口部２７７を介して前ケース基体２６８の前側に引き出される(図２６参照)。なお、前記前ケース基体２６８の前面には、複数の配線フック２６８ｂが形成され、前記前配線用開口部２７７を介して前ケース基体２６８の前側に引き出された可動体用原位置スイッチ２７２の配線２７２ｇは、配線フック２６８ｂに係止されて下方へ案内されるようになっている(図２６参照)。
【００７５】
前記後ケース体２６６は、前記前ケース基体２６８と略相似形に形成された後ケース基体２７６と、該後ケース基体２７６の右側に突出した部位を除く外周縁から前方へ延出する壁部とから構成される。後ケース体２６６の壁部には、外方へ突出する複数の固定片２７８が形成されており、各固定片２７８の後面に前記装置設置部１４８のボス部１４８ａに対応するボス受け部２７８ａが設けられる。そして、固定片２７８のボス受け部２７８ａに装置設置部１４８のボス部１４８ａの後端を嵌合させたもとで、ボス受け部２７８ａの通孔を介してボス部１４８ａにネジ(図示せず)を螺挿することで、後ケース体２６６が装置設置部１４８にネジ止めされるようになっている。
【００７６】
また、後ケース基体２７６の前面には、前記前ケース体２６４のボス部２６８ａに対応するボス受け部２７６ａが形成され、各ボス受け部２７６ａに前ケース体２６４のボス部２６８ａの後端を嵌合させたもとで、ボス受け部２７６ａの通孔を介してボス部２６８ａにネジ(図示せず)を螺挿することで、後ケース体２６６が前ケース体２６４にネジ止めされる。ここで、前ケース体２６４および後ケース体２６６を組付けた際に、前記後ケース体２６６の壁部の前端が前ケース体２６４の壁部の後端に当接して、両ケース体２６４,２６６の間に可動演出体２５８の一端側を収容可能な空間が画成されるよう構成される。また、図２８に示すように、前ケース体２６４および後ケース体２６６の壁部が形成されていない部位には、右側に開放して前記可動演出体２５８が回動するのを許容する可動体用開口部２８０が画成されるようになっている。
【００７７】
前記後ケース基体２７６の前面には、前記前ケース体２６４の前軸受け部２７０に対応する後軸受け部２８２が前方に開放して形成されており、該後軸受け部２８２に前記可動演出体２５８の一端部側を回動自在に軸支する第１支軸２８４の一端が挿入されて連結されている。前記第１支軸２８４の他端は、前記前ケース体２６４および後ケース体２６６を組付けた際に、前記前軸受け部２７０の内部に筒状の軸支持体２８６を介して臨むよう構成される。前記後ケース基体２７６における前記後軸受け部２８２の左側には、前後方向に開放する後配線用開口部２８９が開設されている。また、図２７に示すように、後ケース基体２７６の裏面および後ケース体２６６の壁部には、複数の配線フック２６６ａが上下の関係で形成されている。
【００７８】
更に、後ケース基体２７６における後軸受け部２８２の左側下方に、前記可動体用モータ２６２の駆動軸２６２ａが挿通可能な軸挿通孔２７６ｂが前後方向に開放して形成されている。前記可動体用モータ２６２は、該可動体用モータ２６２の駆動軸２６２ａが軸挿通孔を介して前記後ケース基体２７６の前方へ突出させた状態で、該後ケース基体２７６の後面にネジ止めされる。可動体用モータ２６２の駆動軸２６２ａには、後ケース基体２７６の前面から所定間隔離間した位置で駆動ギヤ２８８が軸支されており、該可動体用モータ２６２が駆動することで、駆動ギヤ２８８が正逆方向に回転するようになっている。図１４に示すように、前記可動体用モータ２６２は、前記後ケース体２６６を裏ユニット３６の前記装置設置部１４８に取付けた際に、該装置設置部１４８のモータ用円形孔部１５０に後端部が臨むようになっている。
【００７９】
前記後ケース基体２７６には、前記第１支軸２８４を中心とした円弧状に延在する円弧状溝２９０が前後方向に開放して形成されている。また、後ケース基体２７６には、前記円弧状溝２９０の外側に位置する側縁部に、円弧状に延在するラック部２９２が歯部を前方に向けた状態で取付けられている。前記ラック部２９２は、前記円弧状溝２９０と同じく前記第１支軸２８４を中心とし、かつ円弧状溝２９０と同一の中心角をなす円弧状に形成されている。前記第１支軸２８４には、筒状の軸支持体２８６を介して扇状従動ギヤ２９４が前記駆動ギヤ２８８に噛合した状態で回動自在に軸支されている。この扇状従動ギヤ２９４は、円盤状の円形基部２９６と、該円形基部２９６の外周縁の一部から外方へ延出した扇状部２９８とから構成され、該扇状部２９８の外周縁に前記駆動ギヤ２８８と噛合可能な歯部が形成されている。前記円形基部２９６には、前記第１支軸２８４が挿通可能な軸挿通孔２９６ａが前後方向に開放して形成されると共に、該円形基部２９６の前面に３つのボス受け部２９６ｂ,２９６ｂ,２９６ｂが設けられている。
【００８０】
前記円形基部２９６の裏面には、後方へ突出する規制突起３００が形成されており、扇状従動ギヤ２９４を第１支軸２８４に軸支した際に、規制突起３００が前記円弧状溝２９０に臨んで扇状従動ギヤ２９４の回動を規制している(図２７,２９参照)。図２５に示すように、前記規制突起３００は、後端部にネジ孔３００ａが開設されると共に、前記円弧状溝２９０に臨んだ規制突起３００の後端部に後方から前後方向に開放する筒状の摺動体３０２が嵌挿されるようになっている。
【００８１】
図２７に示すように、この摺動体３０２の後端縁には、円弧状溝２９０の開口幅(円弧状溝２９０を規定する外側の円弧と内側の円弧との離間距離)より大径のフランジ部３０２ａが形成されており、摺動体３０２を規制突起３００に嵌挿した際に、摺動体３０２が円弧状溝２９０に臨んだ状態でフランジ部３０２ａが後ケース基体２７６の後面に当接するよう構成される。そして、摺動体３０２を規制突起３００に嵌挿した状態で、該規制突起３００の後端部のネジ孔３００ａに摺動体３０２の開口面積より大きな頭部を備えたネジ(図示せず)を螺挿することで、規制突起３００の円弧状溝２９０に対する抜け止めがなされるようになっている。前記円弧状溝２９０に臨んだ摺動体３０２は、前記規制突起３００が移動した際に、円弧状溝２９０に沿って摺動するよう構成される。
【００８２】
前記扇状部２９８は、扇状従動ギヤ２９４を第１支軸２８４に軸支した際に、後ケース基体２７６の前面に対する離間距離が前記駆動ギヤ２８８と略同一となるよう設定される。また、前記扇状部２９８の歯部における前記軸挿通孔２９６ａからの離間距離は、前記駆動ギヤ２８８の歯部と第１支軸２８４との離間距離より僅かに大きく設定されている。そして、扇状従動ギヤ２９４を第１支軸２８４に軸支した際に、図３０に示す如く、前記扇状部２９８の歯部が駆動ギヤ２８８の歯部に噛合し、可動体用モータ２６２の駆動により駆動ギヤ２８８が回転することで扇状従動ギヤ２９４が正逆方向に回動するようになっている。前記扇状部２９８の外周縁(歯部)の円弧形状は、前記ラック部２９２と同一の中心角で、かつ同一の円弧長さに設定されている。また、扇状部２９８一端側には、前方へ立ち上がるよう形成された検出片２９８ａが設けられており、扇状従動ギヤ２９４が原位置にあるときに検出片２９８ａが前記可動体用原位置スイッチ２７２の両検知部２７２ｃ,２７２ｃの間に臨むよう構成される。
【００８３】
ここで、扇状従動ギヤ２９４が原位置にある場合には、図３０に示す如く、前記扇状部２９８の歯部における検出片２９８ａとは反対側の端部が駆動ギヤ２８８に噛合した状態となり、また、前記規制突起３００は、図２７に示す如く、円弧状溝２９０の下端部に位置する。そして、前記扇状従動ギヤ２９４の原位置においては、前記可動演出体２５８は上下方向に延在した第１姿勢となる。一方、図３１に示す如く、扇状部２９８の歯部における検出片２９８ａ側の端部が駆動ギヤ２８８に噛合した状態では、図２９に示す如く、前記規制突起３００が円弧状溝２９０の上端部に位置して、扇状従動ギヤ２９４は回動限界となる。そして、この状態においては、前記可動演出体２５８は、斜め右下方へ傾斜した第２姿勢となる。
【００８４】
前記可動演出体２５８は、前記裏ユニット３６における開口部１３２の左上隅部において、一端側が前記第１支軸２８４に回動自在に軸支された状態で裏ユニット３６に配設される。前記可動演出体２５８は、前記第１姿勢では、略全体が前記収容部１４６に収容されて、図１に示すように、前記図柄表示用開口部６６を介して前方から殆ど視認することは不能とされる。一方、前記第２姿勢では、図１の２点鎖線で示すように、前記図柄表示装置３４の表示部６４の前方に露出して図柄表示用開口部６６を介して前方から視認可能となるよう構成されている。前記可動演出体２５８は、所定長さで延在する長尺可動部３０４と、該長尺可動部３０４の他端側の前側に設けられる筒状カバー部３０６とから基本的に構成され、該筒状カバー部３０６の前側に前記回転演出体２６０が回転自在に設けられる。なお、以下の説明では、長尺可動部３０４における前記第１支軸２８４に軸支された側を軸支側、反対側を開放端側と指称する。
【００８５】
前記長尺可動部３０４は、図３２,図３３に示すように、表側に所要の装飾模様が施されると共に、後方に開放する断面Ｕ字状に成形された所定長さの本体部３０８を基本構成とし、該本体部３０８の後側に後述するリンク手段３１０を収容可能なリンク機構収容部３１２が画成されている(図３４参照)。図１２に示すように、前記長尺可動部３０４の延在長さは、可動演出体２５８が第１姿勢にあって、前記裏ユニット３６の開口部１３２の縦辺１３２ａ(辺部)１３２ａの長さ寸法の半分以上に設定されている。
【００８６】
図２５に示すように、前記本体部３０８の裏側には、軸支側に位置して一対の短尺ボス部３０８ａ,３０８ａが形成されている。両短尺ボス部３０８ａ,３０８ａは、長尺可動部３０４の延在方向に交差する方向に離間して設けられる。また、本体部３０８の裏側には、開放端側に位置して一対の長尺ボス部３０８ｂ,３０８ｂが形成されている。各長尺ボス部３０８ｂは、短尺ボス部３０８ａより長尺に設定されると共に、その後端部が短尺ボス部３０８ａより後方に位置している。また、両長尺ボス部３０８ｂ,３０８ｂは、長尺可動部３０４の延在方向に交差する方向に離間しており、その離間距離は、両短尺ボス部３０８ａ,３０８ａの離間距離と同一に設定されている。更に、本体部３０８の裏側には、前記短尺ボス部３０８ａより支軸側に離間して配線フック３０８ｃが形成されている。
【００８７】
前記長尺可動部３０４の支軸側は、後方へ開放する筒状に形成された円形軸支部３１４が形成され、該円形軸支部３１４の後面から後方へ突出成形した支軸用ボス部３１４ａに前後方向に開放する軸挿通孔３１４ｂが開設されている。前記支軸用ボス部３１４ａには、該支軸用ボス部３１４ａの外周面から径方向に突出して２つの配線フック３１４ｃ,３１４ｃが形成されている。また、円形軸支部３１４の後面には、後方へ突出する３つのボス部３１４ｄが形成されており、円形軸支部３１４の軸挿通孔３１４ｂに前記第１支軸２８４を挿通させると共に、各ボス部３１４ｄの後端部を前記扇状従動ギヤ２９４の対応するボス受け部２９６ｂに嵌合させたもとで、該ボス受け部２９６ｂの通孔を介してボス部３１４ｄにネジ(図示せず)を螺挿することで、長尺可動部３０４が扇状従動ギヤ２９４にネジ止めされる。ここで、円形軸支部３１４のボス部３１４ｄが前記扇状従動ギヤ２９４のボス受け部２９６ｂに嵌合することで、長尺可動部３０４の扇状従動ギヤ２９４に対する位置決めがなされる。なお、前記円形軸支部３１４における後方に延出する壁部には、配線通過部３１４ｅが形成されている。
【００８８】
前記長尺可動部３０４の開放端側には、該長尺可動部３０４の前面から後方へ一段下がって基板設置部３１６が形成されている。前記基板設置部３１６は、前後方向に貫通するリング状に形成されている。前記基板設置部３１６には、前方へ開放するネジ孔３１６ａが複数形成されると共に、該基板設置部３１６の周縁部には、前側を臨む一対のボス受け部３１６ｂ,３１６ｂが形成されている。また、基板設置部３１６には、前記ボス受け部３１６ｂ,３１６ｂから軸支側に離間して前後方向に開放する一対の通孔(図示せず)が開設されている。前記本体部３０８の前面と基板設置部３１６とを繋ぐ壁部には、前記本体部３０８の長尺ボス部３０８ｂの間において該長尺可動部３０４の延在方向に開放する窓部３１８が形成されている(図２８参照)。
【００８９】
前記基板設置部３１６の前側には、前記筒状カバー部３０６を発光させる可動体用発光装置３１８が配設されている。この可動体用発光装置３１８は、中央部に円形貫通孔３２０ａが開設されたドーナツ状の可動体用発光基板３２０と、該発光基板３２０の前面に複数配設されたＬＥＤからなる発光素子(発光体)３２０ｂとから構成される。前記可動体用発光基板３２０の外縁部は、前記基板設置部３１６の外郭形状と略一致する形状に形成されている。また、可動体用発光基板３２０には、前後方向に開放する通孔３２０ｃが複数形成されており、該可動体用発光基板３２０を基板設置部３１６に設置した際に、該基板設置部３１６のネジ孔３１６ａに可動体用発光基板３２０の通孔３２０ｃが整合するよう構成される。そして、可動体用発光基板３２０の各通孔３２０ｃを介して前記基板設置部３１６のネジ孔３１６ａにネジ(図示せず)を螺挿することで、可動体用発光基板３２０が基板設置部３１６にネジ止めされるようになっている。
【００９０】
前記可動体用発光基板３２０の周縁部には、前記基板設置部３１６に設けたボス受け部３１６ｂおよび通孔に対応する箇所に円弧状凹部３２０ｄが形成されており、可動体用発光基板３２０を基板設置部３１６に取付けた際に、該円弧状凹部３２０ｄを介して基板設置部３１６のボス受け部３１６ｂおよび通孔が前方に臨むよう構成される。更に、前記可動体用発光基板３２０の前面には、前記窓部３１８を臨む縁部にコネクタ受部３２０ｅが設けられており、図２８に示すように、コネクタ受部３２０ｅに接続された配線３２０ｆは、窓部３１８を介して本体部３０８の裏側へ引き出されるようになっている。
【００９１】
前記筒状カバー部３０６は、所要の装飾が施された円形前部３０６ａと、該円形前部３０６ａの周縁部から後方へ延出する壁部とから構成される。前記筒状カバーの壁部の内周面は、前記可動体用発光基板３２０の外周縁に略一致する形状とされて、前記筒状カバー部３０６の裏側に前記可動体用発光装置３１８および基板設置部３１６を収容可能な空間が画成されている。また、前記筒状カバー部３０６の壁部の後縁部には、後方および前記支軸側へ向けて開放する壁部開口部３０６ｂが開設されている。前記円形前部３０６ａの裏面には、後方へ突出する一対のカバー長尺ボス部３０６ｃ,３０６ｃが、円形前部３０６ａの中心に対し前記壁部開口部３０６ｂとは反対側の縁部に設けられている。更に、前記円形前部３０６ａの裏面には、前記壁部開口部３０６ｂに近接する縁部に後方へ突出する一対のカバー短尺ボス部３０６ｄ,３０６ｄが形成されている。このカバー短尺ボス部３０６ｄの突出量は、前記カバー長尺ボス部３０６ｃより小さく設定されている。
【００９２】
前記円形前部３０６ａの裏面には、該円形前部３０６ａの中心部から後方へ突出する軸受けボス部３０６ｅが形成されており、該軸受けボス部３０６ｅに前後方向に開放して後述する第２支軸３２２が挿通される軸挿通孔３０６ｆが開設されている。そして、可動体用発光装置３１８が設置された基板設置部３１６に対し前側から筒状カバー部３０６を被せ、該筒状カバー部３０６のカバー長尺ボス部３０６ｃの後端部を可動体用発光基板３２０の円弧状凹部３２０ｄを介して基板設置部３１６のボス受け部３１６ｂに整合させると共に、前記カバー短尺ボス部３０６ｄの後端部を該円弧状凹部３２０ｄを介して基板設置部３１６の通孔に整合させる。この状態で、基板設置部３１６のボス受け部３１６ｂの通孔を介して筒状カバー部３０６のカバー長尺ボス部３０６ｃにネジ(図示せず)を螺挿すると共に、基板設置部３１６の通孔を介して筒状カバー部３０６のカバー短尺ボス部３０６ｄにネジ(図示せず)を螺挿することで、筒状カバー部３０６が基板設置部３１６にネジ止めされる。
【００９３】
前記筒状カバー部３０６の前側に回転自在に配設される回転演出体２６０は、所要の形状および装飾が施された演出部材であって、前記可動演出体２５８の回動時に正逆方向に回転するよう構成される。図３３に示すように、前記回転演出体２６０の裏側には、後方へ突出するよう第２支軸３２２が固定されている。そして、前記筒状カバー部３０６の軸挿通孔３０６ｆに第２支軸３２２を挿通させて、筒状カバー部３０６の裏側に突出した第２支軸３２２の後端部に後述する第２ギヤ３２４を連結することで、第２支軸３２２の筒状カバー部３０６に対する抜け止めがなされ、回転演出体２６０が筒状カバー部３０６の前側に回転自在に取付けられる。前記第２支軸３２２は、回転演出体２６０が筒状カバー部３０６に設けられた状態で、長尺可動部３０４の延在方向に交差する前後方向に延在する。
【００９４】
前記長尺可動部３０４のリンク機構収容部３１２には、前記ラック部２９２に噛合するピニオン部３２６が回転自在に配設される。また、長尺可動部３０４のリンク機構収容部３１２には、前記ピニオン部３２６に連繋して、可動演出体２５８の回動に伴うピニオン部３２６の回転に基づいて前記回転演出体２６０を回転させるリンク手段３１０が配設されている。前記リンク手段３１０は、一端部側に前記ピニオン部３２６が同軸的に連結されると共に前記可動演出体２５８の支軸側と開放端側とを結ぶ線分に沿って延在する回転シャフト３２８と、該回転シャフト３２８の他端部に同軸的に連結された第１ギヤ３３０と、前記第２支軸３２２に同軸的に連結されると共に該第１ギヤ３３０に噛合した第２ギヤ３２４とから基本的に構成される。
【００９５】
前記ピニオン部３２６は、軸方向に開放する筒状連結部３２６ａと、径方向に突出する歯部とから構成されており、回転シャフト３２８の一端部に筒状連結部３２６ａを嵌挿した状態でネジ止めされる。前記ピニオン部３２６は、歯部の一部が長尺可動部３０４の本体部３０８における壁部の後端より後方に位置した状態で長尺可動部３０４に設けられる(図３４参照)。すなわち、ピニオン部３２６の一部は、前記長尺可動部３０４のリンク機構収容部３１２から後方へ突出した状態となって、長尺可動部３０４を第１支軸２８４に軸支した際に、前記ラック部２９２に前側から噛合するよう構成される。そして、長尺可動部３０４が回動した際に、前記ピニオン部３２６は、前記ラック部２９２に噛合状態のまま円弧状に移動して、正逆方向に回転されるようになっている。換言すれば、前記ラック部２９２は、前記可動演出体２５８の回動時における前記ピニオン部３２６の移動軌跡に沿うように延在している。
【００９６】
前記回転シャフト３２８は、前記長尺可動部３０４の延在方向に沿って延在する丸棒体であって、後述する保持部３３２によって、前記本体部３０８における壁部の後端縁より僅か前方(すなわち、前記リンク機構収容部３１２の内部)で保持されている。前記回転シャフト３２８の延在長さは、図３４に示すように、前記ラック部２９２の歯部と前記第２支軸３２２との離間距離より僅かに小さく設定され、前記回転シャフト３２８の他端部が前記基板設置部３１６まで延出している。前記第１ギヤ３３０は、軸方向に開放する筒状連結部３３０ａと、かさ歯車をなす歯部とから構成され、回転シャフト３２８の他端部が筒状連結部３３０ａに嵌挿された状態でネジ止めされる。
【００９７】
前記回転シャフト３２８に連結された第１ギヤ３３０は、前記基板設置部３１６に臨んだ第２支軸３２２より僅かに支軸側に離間した位置に臨むようになっている。前記第２ギヤ３２４は、前記第１ギヤ３３０と同様な構成であって、軸方向に開放する筒状連結部３２４ａと、かさ歯車をなす歯部とから構成され、前記第２支軸３２２の後端部が筒状連結部３２４ａに嵌挿された状態でネジ止めすることで、第２ギヤ３２４が第２支軸３２２に連結されている。前記第２ギヤ３２４は、筒状カバー部３０６を前記基板設置部３１６に取付けた際に、可動体用発光基板３２０の円形貫通孔３２０ａを介して前記基板設置部３１６に臨んで、前記第１ギヤ３３０に対して前側から噛合するようになっている(図３４参照)。
【００９８】
図３５,図３６に示すように、回転シャフト３２８を回転自在に保持する保持部３３２は、前記回転シャフト３２８を支持するベース体３３４と、該ベース体３３４の裏側に取付けられる押えカバー３３６とから構成されている。前記ベース体３３４は、可動演出体２５８の支軸側に位置する第１板状部３３８と、該可動演出体２５８の開放端側に位置して第１板状部３３８より後方に延在する第２板状部３４０とから構成され、前記回転シャフト３２８の延在方向(長尺可動部３０４の延在方向)に沿って延在している。前記第１板状部３３８には、開放端部に幅広の取着部３３８ａが形成され、該取着部３３８ａの後面にベース体３３４の延在方向に交差する方向に離間した一対のボス受け部３３８ｂ,３３８ｂが設けられている。
【００９９】
前記第２板状部３４０の長手方向の両縁部には、該第２板状部３４０における第１板状部３３８とは反対側の端部に近接して一対の円弧状支持部３４０ａ,３４０ａが第２板状部３４０の短手方向に離間して形成されている。各円弧状支持部３４０ａは、第２板状部３４０から後方へ突出するよう形成されている。各円弧状支持部３４０ａには、前記長尺可動部３０４の長尺ボス部３０８ｂが嵌入可能な寸法で前後方向に開放する嵌合孔３４０ｂが開設されている。そして、前記第１板状部３３８のボス受け部３３８ｂに長尺可動部３０４の短尺ボス部３０８ａの後端部を整合させると共に、該長尺可動部３０４の長尺ボス部３０８ｂを第２板状部３４０の対応の円弧状支持部３４０ａの嵌合孔３４０ｂに嵌入したもとで、該ボス受け部３３８ｂの通孔を介して短尺ボス部３０８ａにネジ(図示せず)を螺挿することで、前記ベース体３３４が長尺可動部３０４(本体部３０８)にネジ止めされるよう構成される。なお、前記ベース体３３４が長尺可動部３０４に取付けられた状態では、前記長尺ボス部３０８ｂの後端縁が前記円弧状支持部３４０ａの後端縁に整列するようになっている。
【０１００】
前記第２板状部３４０における第１板状部３３８側の端部に近接して一対のボス部３４０ｃ,３４０ｃが第２板状部３４０の短手方向に離間して形成されている。第２板状部３４０のボス部３４０ｃは、前記円弧状支持部３４０ａと同じ突出量で、前記第２支持部から後方へ突出している。第２板状部３４０の両端部には、夫々、長尺可動部３０４の延在方向に開放するＵ字状の支持体３４２,３４４が、後方に向けて突出成形されており、両支持体３４２,３４４に前記回転シャフト３２８が回転自在に支持されるよう構成される。なお、以下の説明では、第１板状部３３８側の支持体を第１支持体３４２、第１板状部３３８とは反対側の支持体を第２支持体３４４と指称する場合がある。
【０１０１】
前記支持体３４２,３４４は、第２板状部３４０の隅部から後方に突出する一対の突起部３４２ａ,３４２ａ,３４４ａ,３４４ａを備え、両突起部３４２ａ,３４２ａ,３４４ａ,３４４ａの間に回転シャフト３２８が配設される。各突起部３４２ａ,３４２ａ,３４４ａ,３４４ａの後端面は、前記第２板状部３４０の円弧状支持部３４０ａおよびボス部３４０ｃの後端面より後方に位置している。また、両支持体３４２,３４４の外側面(他方の支持体３４４,３４２に対向する面とは反対側の面)の離間距離Ｌ5(図３５(ａ)参照)は、前記ピニオン部３２６の筒状連結部３２６ａにおける端縁部と前記第１ギヤ３３０の筒状連結部３３０ａにおける端縁部との離間距離Ｌ6(図３４参照)と略一致する寸法に設定されている。
【０１０２】
前記第２支持体３４４の突起部３４４ａ,３４４ａには、該突起部３４４ａ,３４４ａの後端面から第２板状部３４０の長手方向外方および短手方向外方へ延出する規制片３４４ｂ,３４４ｂが形成されている。この規制片３４４ｂにおける第２板状部３４０の長手方向外方へ延出した外縁部と、第１支持体３４２の外側面との離間距離Ｌ7(図３５(ｂ)参照)は、前記ピニオン部３２６の筒状連結部３２６ａにおける端縁部と前記第１ギヤ３３０の筒状連結部３３０ａにおける端縁部との離間距離Ｌ6より大きく設定されている。そして、回転シャフト３２８は、前記第１ギヤ３３０側を第２支持体３４４に臨ませた後に、ピニオン部３２６側を第１支持体３４２に臨ませることで、両支持体３４２,３４４間にセットされるようになっている。
【０１０３】
回転シャフト３２８が支持体３４２,３４４に支持された状態では、図２７に示すように、前記規制片３４４ｂ,３４４ｂの端部が第１ギヤ３３０の筒状連結部３３０ａ,３３０ａの開放端より歯部側に位置して、回転シャフト３２８の第１ギヤ３３０側が第２支持体３４４から脱落するのを規制している。更に、図３５(ａ)に示すように、各規制片３４４ｂの前面側(第２板状部３４０側)には、後方へ向かうにつれて第２支持体３４４から離間する方向に傾斜した傾斜面３４４ｃが形成されており、回転シャフト３２８を支持体３４２,３４４に着脱する際に第２ギヤ３２４が規制片３４４ｂに引っ掛かり難くしている。
【０１０４】
前記押えカバー３３６は、前記支持体３４２,３４４の間に配設される板状部材であって、押えカバー３３６の長手方向の寸法は、両支持体３４２,３４４の内側面(他方の支持体３４４,３４２に対向する面)の離間距離と略一致する寸法に設定されている。また、押えカバー３３６の短手方向の寸法は、前記第２板状部３４０の短手方向の寸法と略同一に設定される。押えカバー３３６の一端部側には、前記第２板状部３４０のボス部３４０ｃ,３４０ｃに対応する一対のボス受け部３３６ａ,３３６ａが、該押えカバー３３６の長手方向の縁部から短手方向の外方に膨出するように形成されている。また、押えカバー３３６の他端部側は、短手方向に広がった幅広部３３６ｂとされて、該幅広部３３６ｂに前記長尺可動部３０４の長尺ボス部３０８ｂ,３０８ｂに対応する通孔３３６ｃ,３３６ｃが開設されている。
【０１０５】
そして、押えカバー３３６のボス受け部３３６ａ,３３６ａに前記第２板状部３４０のボス部３４０ｃ,３４０ｃの後端部を嵌合し、該ボス受け部３３６ａ,３３６ａの通孔を介してボス部３４０ｃ,３４０ｃにネジ(図示せず)を螺挿することで、押えカバー３３６が第２板状部３４０にネジ止めされる。更に、前記押えカバー３３６の通孔３３６ｃ,３３６ｃを長尺可動部３０４の長尺ボス部３０８ｂ,３０８ｂに整合させたもとで、該通孔３３６ｃ,３３６ｃを介して長尺ボス部３０８ｂ,３０８ｂにネジ(図示せず)を螺挿することで、押えカバー３３６が長尺可動部３０４にネジ止めされるよう構成される。前記押えカバー３３６が長尺可動部３０４に取付けられた状態では、該押えカバー３３６の幅広部３３６ｂの前面が長尺可動部３０４の長尺ボス部３０８ｂ,３０８ｂの後端部および第２板状部３４０の円弧状支持部３４０ａ,３４０ａの後端部に当接して、押えカバー３３６の位置決めがなされると共に、ベース体３３４(第２板状部３４０)が長尺可動部３０４に固定されようになっている。また、押えカバー３３６が第２板状部３４０に取付けられることで、前記支持体３４２,３４４に支持された回転シャフト３２８が押えカバー３３６により後方から覆われた状態となって、該回転シャフト３２８の支持体３４２,３４４からの脱落が阻止される(図２７参照)。
【０１０６】
前記押えカバー３３６の短手方向の両縁部には、中央部から長手方向外方へ延出する位置決め突片３３６ｄ,３３６ｄが形成されている。各位置決め突片３３６ｄの短手方向の長さは、各支持体３４２,３４４の両突起部３４２ａ,３４２ａ,３４４ａ,３４４ａの離間距離に略一致するよう設定されており、押えカバー３３６を第２板状部３４０に取付けた際に、各位置決め突片３３６ｄが各支持体３４２,３４４の突起部３４２ａ,３４２ａ,３４４ａ,３４４ａの間に臨んで、押えカバー３３６が位置決めされる。また、押えカバー３３６における前記第２支持体３４４側の縁部には、一対の係止片３３６ｅ,３３６ｅが前記位置決め突片３３６ｄを挟んで形成されている。各係止片３３６ｅは、押えカバー３３６の前面から前方へ突出すると共に、押えカバー３３６の長手方向外方へ延出している。また、前記係止片３３６ｅは、押えカバー３３６を第２支持体３４４に取付けた際に、前記第２支持体３４４の規制片３４４ｂに前側から係止可能に構成されている。すなわち、係止片３３６ｅ,３３６ｅを第２支持体３４４の規制片３４４ｂ,３４４ｂに係止させると共に前記位置決め突片３３６ｄを第２支持体３４４の突起部３４４ａ,３４４ａの間に臨ませた後に、押えカバー３３６の他方の位置決め突片３３６ｄを第１支持体３４２の突起部３４２ａ,３４２ａの間に臨ませることで、前記押えカバー３３６は、第２板状部３４０にセットされるようになっている(図３５,図３６参照)。
【０１０７】
ここで、前記長尺可動部３０４にベース体３３４が取付けられた状態においては、図２８に示すように、前記第１板状部３３８の前面および第２板状部３４０の前面が長尺可動部３０４の本体部３０８の裏面から離間して、ベース体３３４の前面と本体部３０８の裏面との間に配線スペース３４６が画成されるようになっている。そして、前記窓部３１８を介して本体部３０８の裏側に引き出された可動体用発光装置３１８の配線３２０ｆは、前記長尺ボス部３０８ｂ,３０８ｂの間を通って前記配線スペース３４６へ引き出される。前記配線スペース３４６に引き出された配線３２０ｆは、該配線スペース３４６を通って長尺可動部３０４の支軸側へ案内され、前記短尺ボス部３０８ａの間を通って前記円形軸支部３１４側へ引き出される。すなわち、可動体用発光装置３１８から導出する配線３２０ｆは、保持部３３２における回転シャフト３２８を支持する面とは反対側の面に沿って長尺可動部３０４の支軸側へ案内されるようになっている。
【０１０８】
なお、前記配線スペース３４６から引き出された配線３２０ｆは、長尺可動部３０４の配線フック３０８ｃに係止された後、前記円形軸支部３１４の２つの配線フック３１４ｃ,３１４ｃで右側へ湾曲されて、該円形軸支部３１４の配線通過部３１４ｅを介して長尺可動部３０４の外部へ引き出される。更に、長尺可動部３０４の外部へ引き出された配線３２０ｆは、図２７に示すように、前記後側ケース２２８の後配線用開口部２８９から該後側ケース２２８の裏側へ引き出される。そして、後側ケース２２８の裏側へ引き出された配線３２０ｆは、後側ケース２２８の配線フック２６６ａを介して下方へ案内され、前記裏ユニット３６における表中継基板１５２に接続される(図１２参照)。
【０１０９】
〔実施例の作用〕
次に、前述した実施例に係るパチンコ機１０の作用につき説明する。
【０１１０】
〔カバー部材の組付けについて〕
先ず始めに、カバー部材１８０を裏ユニット３６に取付ける場合について説明する。図１８に示すように、入賞口用発光装置１１６の入賞口用発光基板２０２を前記カバー部材１８０の発光装置用設置部２００にセットする。入賞口用発光基板２０２の位置決め凹部２０２ｂに前記カバー部材１８０の位置決め突起２００ｂが臨むことで、入賞口用発光基板２０２が、カバー部材１８０の位置決めリブ２００ａの内側に整合した状態で位置決めされる。このとき、入賞口用発光基板２０２の後面のコネクタ受部２０２ｄが、前記矩形開口部２０６を介してカバー部材１８０の裏側に臨む。次に、前記ケース体２０８の後側の空間に前記入賞口用発光装置１１６を収容した状態で、該ケース体２０８の壁部の後端を前記カバー部材１８０の位置決めリブ２００ａの前端に当接させる。そして、ケース体２０８の位置決め突起２０８ｂをカバー部材１８０の位置決め孔２００ｃに挿入したもとで、ケース体２０８の通孔２０８ａおよび入賞口用発光基板２０２の通孔２０２ｃを介してカバー部材１８０のネジ孔２００ｄにネジを螺挿することで、ケース体２０８が入賞口用発光装置１１６を収容した状態でカバー部材１８０の前側に取付けられる。
【０１１１】
一方、前記裏ユニット３６については、排出用球通路１２０のスイッチ設置部１８４の前方開口に球検知スイッチ１８６を挿入し、該球検知スイッチ１８６の検知部１８６ｂが球排出口１８２に臨んだ状態で、球検知スイッチ１８６をスイッチ設置部１８４にセットする。このとき、図１７に示すように、スイッチ設置部１８４の位置決め片１８８が球検知スイッチ１８６における本体部１８６ａの後端部に係合し、該球検知スイッチ１８６の後方への位置規制がなされる。また、スイッチ設置部１８４に球検知スイッチ１８６が設置された状態では、該球検知スイッチ１８６の前端部がスイッチ設置部１８４の前方開口に整列した状態となる。
【０１１２】
次に、前記入賞口用発光装置１１６およびケース体２０８が取付けられたカバー部材１８０を前記裏ユニット３６の排出用球通路１２０の前側に取付ける。すなわち、図１１に示すように、カバー部材１８０のボス受け部１８０ａを下部構造体１２４および左対向面部１２８ｃに形成したボス部１２４ａ,１２８ｅに嵌合させ、ボス受け部１８０ａの通孔を介してボス部１２４ａ,１２８ｅにネジを螺挿してカバー部材１８０が裏ユニット３６にネジ止めされる。これにより、図１２に示すように、排出用球通路１２０の前方開口が、前記入賞口用飾り部材８６の各排出樋１１０,１１２,１１４に連通する部分(すなわち、第１〜第３通路１７２,１７４,１７６の上端部)を除いて、前記カバー部材１８０により閉塞される。そして、カバー部材１８０が裏ユニット３６に取付けられた状態では、該カバー部材１８０の後面が通路用壁部１７８の前端に当接し、前記通過口１９２および通過部１９４が対応の第１〜第３通路１７２,１７４,１７６に連通する。このように、実施例では、排出用球通路１２０の前面開口がカバー部材１８０により閉鎖されるので、通路用壁部１７８およびカバー部材１８０の間に隙間が生じるのを抑制し得る。従って、排出用球通路１２０でパチンコ球の球詰まりが発生するのを好適に抑制し、該排出用球通路１２０をパチンコ球が円滑に流下することが可能となる。
【０１１３】
カバー部材１８０が裏ユニット３６に取付けられると、図１７に示すように、該カバー部材１８０の規制部２０４が、前記スイッチ設置部１８４に設置された球検知スイッチ１８６の前端部に当接し、該球検知スイッチ１８６の前方への位置規制がなされる。このように、実施例では、カバー部材１８０に規制部２０４を設けることで、カバー部材１８０を排出用球通路１２０に取付けた際に、球検知スイッチ１８６の位置規制を行なうことが可能となる。また、前記カバー部材１８０が排出用球通路１２０に取付けられると、入賞口用発光基板２０２のコネクタ受部２０２ｄが裏ユニット３６の配線通路１９０に臨み、該コネクタ受部２０２ｄに接続された配線２０２ｅは、配線通路１９０を介して裏ユニット３６の上方へ案内される(図１２参照)。そして、配線通路１９０を介して上方へ案内された配線２０２ｅは、前記裏ユニット３６の左配線通路１６２を介して該裏ユニット３６の裏側へ引き出され、前記裏中継基板１６４に接続される(図１４参照)。すなわち、実施例では、入賞口用発光装置１１６をカバー部材１８０を介して裏ユニット３６側に設ける構成としたので、入賞口用発光装置１１６を遊技盤１８に取付ける構成に較べ、配線２０２ｅを裏ユニット３６の裏側へ引き回すのが容易となる。ここで、カバー部材１８０を排出用球通路１２０の前側に取付けた状態では、図１６に示すように、カバー部材１８０(入賞口用発光装置１１６)が下部構造体１２４の前面から前方へ突出した状態となる。
【０１１４】
〔発光演出装置の組付けについて〕
次に、発光演出装置１４２を組付ける場合について説明する。図２０,図２１に示すように、前記演出部２１２の前側に円形装飾板２１８を取付けると共に、前記前側ケース２２６の前側に散乱カバー２３０を取付け、該散乱カバー２３０の連結用開口部２３０ａに演出部２１２の後面を臨ませる。前記連結用開口部２３０ａに臨む演出部２１２の後面に対し、前記連結部材２２０を前側ケース２２６の後側から連結させる。また、前記演出部用発光基板２３２の位置決め孔２３２ｃに散乱カバー２３０の位置決め突起２３０ｃを挿入すると共に、演出部用発光基板２３２の通孔２３２ｂを散乱カバー２３０の設置用突部２３０ｂに整合させる。そして、演出部用発光基板２３２の通孔２３２ｂを介して設置用突部２３０ｂにネジを螺挿して、演出部用発光装置２１４を前側ケース２２６(散乱カバー２３０)にネジ止めする。
【０１１５】
また、前記演出部用原位置スイッチ２５２を後側ケース２２８のスイッチ設置部２５４に設置する。すなわち、演出部用原位置スイッチ２５２の後方の検知部２５２ｃをスイッチ設置部２５４の位置決め凹部２５４ｃに臨ませると共に、該原位置スイッチ２５２の固定部２５２ａの通孔２５２ｄをスイッチ設置部２５４のネジ孔２５４ａに整合させる。更に、前記固定部２５２ａの位置決め孔２５２ｅにスイッチ設置部２５４の位置決め突起２５４ｂを挿入すると共に、該固定部２５２ａの通孔２５２ｄを介して該スイッチ設置部２５４のネジ孔２５４ａにネジを螺挿することで、演出部用原位置スイッチ２５２が後側ケース２２８のスイッチ設置部２５４に取付けられる。このとき、スイッチ設置部２５４に設置された演出部用原位置スイッチ２５２は、図２２に示すように、両検知部２５２ｃ,２５２ｃの間の空間を回転時における連結部材２２０の検知片２２０ａの通過領域に臨ませている。
【０１１６】
前記後側ケース２２８を前側ケース２２６に組付ける場合には、該後側ケース２２８のボス受け部２３４ａに前側ケース２２６のボス部２２６ａの後端部を嵌合させ、該ボス受け部２３４ａの通孔を介してボス部２２６ａにネジを螺挿して、後側ケース２２８を前側ケース２２６にネジ止めする。このとき、図２２に示すように、前記演出部用発光装置２１４の発光素子２３２ａは、装置本体２１６の上部側に位置して円弧状に並んでいる。すなわち、実施例に係る発光演出装置１４２では、複数の発光素子２３２ａが演出部２１２の発光領域２１０よりも狭い範囲に設けられている。また、演出部用発光装置２１４が設けられていない後側ケース２２８の下部の領域には、下部スペース２３８として所要の空間が画成され、前記スイッチ設置部２５４に設置された演出部用原位置スイッチ２５２は、当該下部スペース２３８に位置する。なお、演出部用原位置スイッチ２５２のコネクタ受部２５２ｆに接続された配線２５２ｇは、後側ケース２２８の配線用切欠部２４４を介して外部に引き出される。また、前記後側ケース２２８を前側ケース２２６に取付けた状態では、図２３に示すように、前記演出部用発光基板２３２のコネクタ受部２３２ｄが後側ケース２２８のコネクタ用開口部２５０に臨み、該コネクタ受部２３２ｄに接続された配線２３２ｅは、該コネクタ用開口部２５０を介して後側ケース２２８の後方へ引き出される。
【０１１７】
次に、前記演出部用モータ２２４を後側ケース２２８の設置凹部２４６に取付ける。すなわち、演出部用モータ２２４の駆動軸２２４ａを設置凹部２４６の軸挿通孔２４６ｂに挿通し、前記連結部材２２０の連結軸孔２２２ａに接続する。また、演出部用モータ２２４のモータ取付片２４８ａを前記設置凹部２４６にネジ止めして、演出部用モータ２２４を設置凹部２４６に取付ける。これにより、前記演出部２１２が前記連結部材２２０を介して演出部用モータ２２４に接続されて、該演出部２１２が装置本体２１６の前側に回転自在に取付けられる。前記演出部用モータ２２４が設置凹部２４６に取付けられた状態で、図２３に示すように、演出部用モータ２２４のコネクタ受部２２４ｂに接続された配線２２４ｃが下方へ導出している。
【０１１８】
発光演出装置１４２を裏ユニット３６の中央設置部１５４に取付ける際には、前記後側ケース２２８の下側固定片２４０のボス受け部２４０ａに中央設置部１５４の下側ボス部１５６の前端部を嵌合させると共に、後側ケース２２８の上側固定片２４２のボス受け部２４２ａに中央設置部１５４の上側ボス部１５８(図１６参照)の前端部を嵌合させる。そして、下側固定片２４０および上側固定片２４２の両ボス受け部２４０ａ,２４２ａの通孔を介して下側ボス部１５６および上側ボス部１５８にネジを螺挿して、発光演出装置１４２を中央設置部１５４にネジ止めする。このとき、前記中央設置部１５４の下側ボス部１５６の前方への突出量は、上側ボス部１５８より大きいので、発光演出装置１４２は、下部側を前方に位置させた後方傾斜した姿勢となる(図１５参照)。
【０１１９】
発光演出装置１４２が中央設置部１５４に取付けられると、前記演出部用モータ２２４の後端部が前記中配線通孔１６０に臨む(図１４参照)。そして、演出部用モータ２２４から導出する配線２２４ｃは、中配線通孔１６０を介して裏ユニット３６の裏側へ引き出され、前記裏中継基板１６４に接続される。また、前記後側ケース２２８のコネクタ用開口部２５０から導出する演出部用発光装置２１４の配線２３２ｅおよび前記配線用切欠部２４４から導出する演出部用原位置スイッチ２５２の配線２５２ｇについても、中配線通孔１６０を介して裏ユニット３６の裏側へ引き出された後、前記裏中継基板１６４に接続される。
【０１２０】
〔左部演出装置の組付けについて〕
可動演出体２５８を組付ける場合には、先ず始めに、前記保持部３３２のベース体３３４を本体部３０８のリンク機構収容部３１２に取付ける。すなわち、前記第１板状部３３８のボス受け部３３８ｂを前記長尺可動部３０４(本体部３０８)の短尺ボス部３０８ａの後端部に嵌合させると共に、前記第２板状部３４０の円弧状支持部３４０ａの嵌合孔３４０ｂに長尺可動部３０４の長尺ボス部３０８ｂを嵌入する。次いで、前記ベース体３３４の第２支持体３４４に前記回転シャフト３２８の第１ギヤ３３０側を臨ませた後、該回転シャフト３２８のピニオン部３２６側を第１支持体３４２に臨ませる。このとき、前記ピニオン部３２６の筒状連結部３２６ａおよび第１ギヤ３３０の筒状連結部３３０ａの離間距離Ｌ6(図３４参照)は、両支持体３４２,３４４の対向する突起部３４２ａ,３４２ａ,３４４ａ,３４４ａの外側面間の離間距離Ｌ5(図３５(ａ)参照)と略同一に設定されているので、ピニオン部３２６および第１ギヤ３３０の間に両支持体３４２,３４４が挾まれた状態で回転シャフト３２８がセットされる。
【０１２１】
しかも、前記第２支持体３４４の規制片３４４ｂ,３４４ｂの外縁部と、第１支持体３４２の突起部３４２ａ,３４２ａの外側面との離間距離Ｌ7(図３５(ｂ)参照)は、前記ピニオン部３２６の筒状連結部３２６ａおよび第１ギヤ３３０の筒状連結部３３０ａの離間距離Ｌ6より大きく設定されている。従って、回転シャフト３２８の第１ギヤ３３０側が第２支持体３４４から脱落しようとしたときに該第１ギヤ３３０が前記規制片３４４ｂ,３４４ｂに接触して、回転シャフト３２８の脱落を規制する。すなわち、回転シャフト３２８を両支持体３４２,３４４間に一旦セットした後に、該回転シャフト３２８が第２支持体３４４から脱落し難くすることで、押えカバー３３６をベース体３３４に組付ける作業を効率的に行なうことが可能となる。また、図３５(ａ)に示すように、各規制片３４４ｂの第２板状部３４０を指向する側に傾斜面３４４ｃを形成したので、回転シャフト３２８を第２支持体３４４に着脱する際に、第１ギヤ３３０が規制片３４４ｂ,３４４ｂに引っ掛かり難くして、作業性を向上し得る。
【０１２２】
前記回転シャフト３２８を両支持体３４２,３４４にセットした状態で、前記押えカバー３３６をベース体３３４に取付ける。すなわち、図３５(ａ),(ｂ)に示すように、押えカバー３３６の係止片３３６ｅ,３３６ｅを前記第２支持体３４４の規制片３４４ｂ,３４４ｂの前側に係合させると共に、両係止片３３６ｅ,３３６ｅの間の位置決め突片３３６ｄを第２支持体３４４の突起部３４４ａ,３４４ａの間に臨ませる。次いで、前記押えカバー３３６の反対側の位置決め突片３３６ｄを第１支持体３４２の突起部３４２ａ,３４２ａの間に臨ませる。すると、前記押えカバー３３６の幅広部３３６ｂが前記円弧状支持部３４０ａの後端部および前記長尺可動部３０４の長尺ボス部３０８ｂの後端部に当接し、該幅広部３３６ｂの通孔３３６ｃが長尺ボス部３０８ｂに整合する。また、押えカバー３３６のボス受け部３３６ａが前記第２板状部３４０のボス部３４０ｃの後端部に嵌合する。そして、押えカバー３３６の通孔３３６ｃを介して前記長尺可動部３０４の長尺ボス部３０８ｂにネジを螺挿すると共に、押えカバー３３６のボス受け部３３６ａの通孔３３６ｃを介して第２板状部３４０のボス部３４０ｃにネジを螺挿して、押えカバー３３６をベース体３３４にネジ止めする。
【０１２３】
すると、図３６(ａ),(ｂ)に示すように、押えカバー３３６は、第１支持体３４２および第２支持体３４４間に整合した状態でベース体３３４に取付けられて、回転シャフト３２８が両支持体３４２,３４４間に回転自在に支持される。また、押えカバー３３６が回転シャフト３２８を後側から閉塞するので、該回転シャフト３２８に塵埃や異物が接触するのを抑制して、回転シャフト３２８の回転に不具合が発生するのを防止している。更に、第２支持体３４４の円弧状支持部３４４ａの後端部が押えカバー３３６に押さえつけられることで、第２板状部３４０が長尺可動部３０４に確実に固定される。なお、第１板状部３３８側は、該第１板状部３３８の取着部３３８ａに設けたボス受け部３３８ｂの通孔を介して長尺可動部３０４の短尺ボス部３０８ａにネジを螺挿することでネジ止めされる。前記回転シャフト３２８がリンク機構収容部３１２に配設されると、図３４に示すように、前記ピニオン部３２６が長尺可動部３０４の後端部から僅かに突出すると共に、前記第１ギヤ３３０が基板設置部３１６に臨んだ状態となる。また、図２８に示すように、前記第１板状部３３８の前面および第２板状部３４０の前面が長尺可動部３０４の本体部３０８の裏面から離間して、ベース体３３４の前面と本体部３０８の裏面との間に配線スペース３４６が画成される。
【０１２４】
可動演出体２５８の基板設置部３１６に可動体用発光装置３１８を取付ける際には、図３２,図３３に示すように、前記可動体用発光基板３２０の通孔３２０ｃを基板設置部３１６のネジ孔３１６ａに整合させ、該通孔３２０ｃを介してネジをネジ孔３１６ａに螺挿することで、可動体用発光基板３２０が基板設置部３１６にネジ止めされる。このとき、前記基板設置部３１６のボス受け部３１６ｂおよび通孔が、可動体用発光基板３２０の周縁部に設けた円弧状凹部３２０ｄを介して前方に臨んだ状態となる。また、筒状カバー部３０６の軸挿通孔３０６ｆに前記回転演出体２６０に接続した第２支軸３２２を前側から挿通させ、該第２支軸３２２の後端部に第２ギヤ３２４を連結させることで、回転演出体２６０が筒状カバー部３０６の前面に回転自在に取付けられる。
【０１２５】
そして、前記基板設置部３１６の前側から筒状カバー部３０６を被せるようにセットし、前記可動体用発光基板３２０の円弧状凹部３２０ｄを介して前方に臨む基板設置部３１６のボス受け部３１６ｂに筒状カバー部３０６のカバー長尺ボス部３０６ｃの後端部を嵌合させる。また、前記可動体用発光基板３２０の円弧状凹部３２０ｄを介して前方に臨む基板設置部３１６の通孔に筒状カバー部３０６のカバー短尺ボス部３０６ｄの後端部を整合させる。そして、基板設置部３１６のボス受け部３１６ｂを介してカバー長尺ボス部３０６ｃにネジを螺挿すると共に、基板設置部３１６の通孔を介してカバー短尺ボス部３０６ｄにネジを螺挿して、筒状カバー部３０６が前記基板設置部３１６にネジ止めされる。
【０１２６】
前記筒状カバー部３０６が基板設置部３１６に取付けられると、前記第２支軸３２２および第２ギヤ３２４が前記可動体用発光基板３２０の円形貫通孔３２０ａを介して基板設置部３１６に臨み、該第２ギヤ３２４が前記第１ギヤ３３０に前側から噛合する(図３４参照)。また、前記可動体用発光基板３２０に設けられたコネクタ受部３２０ｅは、長尺可動部３０４の窓部３１８に臨んだ状態となる。そして、図２８に示すように、可動体用発光基板３２０のコネクタ受部３２０ｅに接続された配線３２０ｆを前記窓部３１８を介して前記配線スペース３４６へ引き出し、該配線スペース３４６を通って長尺可動部３０４の支軸側へ案内する。すなわち、実施例では、可動体用発光装置３１８から導出する配線３２０ｆを、保持部３３２における回転シャフト３２８を支持する面とは反対側の面に沿って長尺可動部３０４の支軸側へ案内するようにしたので、配線３２０ｆが回転シャフト３２８から分離されて該回転シャフト３２８に接触するのを防止し得る。また、回転シャフト３２８を保持する保持部３３２を配線３２０ｆの案内部材として兼用したので、部品点数が増加するのを回避して製造コストを低廉にし得る。
【０１２７】
次に、図２４に示すように、前記後ケース体２６６の後軸受け部２８２に第１支軸２８４を軸支持体２８６を介して連結する。そして、第１支軸２８４に対し前記扇状従動ギヤ２９４の軸挿通孔２９６ａを挿通させ、該扇状従動ギヤ２９４の規制突起３００を前記ラック部２９２の円弧状溝２９０に臨ませた状態で、該扇状従動ギヤ２９４を第１支軸２８４に回動自在に軸支させる。また、後ケース体２６６の軸挿通孔２７６ｂに可動体用モータ２６２の駆動軸２６２ａを後方から挿通させ、後ケース体２６６の後面に可動体用モータ２６２をネジ止めする。そして、後ケース体２６６の軸挿通孔２７６ｂから前方へ突出する可動体用モータ２６２の駆動軸２６２ａに駆動ギヤ２８８を接続させる。すると、図３０に示すように、前記扇状従動ギヤ２９４の歯部と前記駆動ギヤ２８８の歯部とが噛合する。また、前記扇状従動ギヤ２９４の規制突起３００の後端部に摺動体３０２を嵌挿させ、該摺動体３０２を円弧状溝２９０に臨ませた状態で規制突起３００にネジを螺挿し、該規制突起３００の円弧状溝２９０への抜け止めがなされる。
【０１２８】
次に、前記可動演出体２５８の円形軸支部３１４に設けた軸挿通孔３１４ｂに前記第１支軸２８４を挿通し、可動演出体２５８を第１支軸２８４に回動自在に軸支させる。すると、図３４に示すように、前記長尺可動部３０４のリンク機構収容部３１２から僅かに後方に突出したピニオン部３２６の歯部が、前記後ケース体２６６に設けたラック部２９２の歯部に前側から噛合する。また、前記円形軸支部３１４の配線通過部３１４ｅから引き出された可動体用発光装置３１８の配線３２０ｆを、前記後ケース体２６６の後配線用開口部２８９を介して該後ケース体２６６の後側に引き出す。そして、後ケース体２６６の後側に引き出された配線３２０ｆは、該後ケース体２６６に設けた複数の配線フック２６６ａを介して下方へ案内される(図２７参照)。
【０１２９】
前記可動体用原位置スイッチ２７２を前ケース体２６４のスイッチ取付部２７４に設置するには、該スイッチ取付部２７４の位置決めリブ２７４ｃに前側の検知部２７２ｃを臨ませると共に、可動体用原位置スイッチ２７２の固定部２７２ａの位置決め孔２７２ｅにスイッチ取付部２７４の位置決め突起２７４ｂを挿入させる。そして、可動体用原位置スイッチ２７２の固定部２７２ａに設けた通孔２７２ｄを介してスイッチ取付部２７４のボス部２７４ａにネジを螺挿することで、可動体用原位置スイッチ２７２がスイッチ取付部２７４に設置される。可動体用原位置スイッチ２７２がスイッチ取付部２７４に設置されると、可動体用原位置スイッチ２７２の両検知部２７２ｃ,２７２ｃの間の空間が前記扇状従動ギヤ２９４の検知片２９８ａの移動軌跡に臨んだ状態となる。また、可動体用原位置スイッチ２７２のコネクタ受部２７２ｆに接続された配線２７２ｇは、前記前ケース体２６４の前配線用開口部２７７を介して該前ケース体２６４の前側に引き出され、該前ケース体２６４に設けた配線フック２６８ｂを介して下方へ案内される(図２６参照)。
【０１３０】
次に、前ケース体２６４の前軸受け部２７０に、軸支持体２８６を介して前記第１支軸２８４の前端部を挿入させる。また、前ケース体２６４の複数のボス部２６８ａの後端部を前記後ケース体２６６の対応する軸受け部２７６ａに嵌合させ、該軸受け部２７６ａの通孔を介してボス部２６８ａにネジを螺挿して、前ケース体２６４および後ケース体２６６をネジ止めする。このとき、図２８に示すように、前ケース体２６４および後ケース体２６６の右側に可動体用開口部２８０が画成されて、可動演出体２５８の回動動作が許容される。左部演出装置１３６(取付けケース２５６)を裏ユニット３６の装置設置部１４８に取付ける際には、前記上対向面部１２８ａおよび左対向面部１２８ｃに設けたボス部１４８ａの後端部を取付けケース２５６(後ケース体２６６)の固定片２７８のボス受け部２７８ａに嵌合させ、ボス受け部２７８ａの通孔を介してボス部１４８ａにネジを螺挿する。これにより、取付けケース２５６が装置設置部１４８にネジ止めされて、左部演出体が裏ユニット３６に組付けられる。すなわち、図１２に示すように、可動演出体２５８は、裏ユニット３６における開口部１３２の左上隅部の近傍で軸支される。なお、取付けケース２５６が装置設置部１４８に取付けられると、図１４に示すように、前記可動体用モータ２６２の後部が、前記裏ユニット３６のモータ用円形孔部１５０を介して該裏ユニット３６の裏側に臨む。
【０１３１】
前記後ケース体２６６の配線フック２６６ａを介して下方へ案内された可動体用発光装置３１８の配線３２０ｆは、図１２に示すように、左画壁部１３０ｃに設けた配線フック１３０ｅを介して下方へ案内されて、前記表中継基板１５２に接続される。また、前ケース体２６４の配線フック２６８ｂを介して下方へ案内された可動体用原位置スイッチ２７２の配線２７２ｇは、同じく前記左画壁部１３０ｃの配線フック１３０ｅを介して下方へ案内されて、前記表中継基板１５２に接続される。そして、表中継基板１５２から導出する配線１５２ｂは、図１４に示すように、前記左配線通孔１６２を介して裏ユニット３６の裏側へ引き出され、前記裏中継基板１６４に接続される。また、裏ユニット３６の後面には、前記支持部１３１および固定基部１３４を介して図柄表示装置３４が取付けられ、該図柄表示装置３４の表示部６４が裏ユニット３６の開口部１３２に臨む。
【０１３２】
〔裏ユニットの組付けについて〕
前記裏ユニット３６を遊技盤１８に取付ける場合には、裏ユニット３６の箱状本体１１８および下部構造体１２４に設けた各設置固定部１２６の前面を遊技盤１８の裏面に当接させた状態で、ネジを介して遊技盤１８に裏ユニット３６が固定される。すると、前記裏ユニット３６の箱状本体１１８によって前記枠状装飾部材６８の図柄表示用開口部６６が後側から覆われると共に、該図柄表示用開口部６６に前記開口部１３２を介して図柄表示装置３４の表示部６４が臨む。また、裏ユニット３６を遊技盤１８に取付けると、該裏ユニット３６に設けた前記装飾カバー１４４の凹状部１４４ｂと遊技盤１８の裏面との間に収容部１４６が画成されて、該収容部１４６に前記可動演出体２５８が収容される(図１参照)。
【０１３３】
前記裏ユニット３６を遊技盤１８に取付けると、前記カバー部材１８０の前面から突出して前記設置固定部１２６の前面より前方に位置する入賞口用発光装置１１６(ケース体２０８)が、前記第３の貫通口８２の内部に臨んで、前記入賞口用飾り部材８６の光透過部材１０８に対向する。また、図１９に示すように、前記通過口１９２,１９２および通過部１９４の連通突部１９６,１９６,１９６が、前記第３の貫通口８２の後方開口端に位置する排出樋１１０,１１２,１１４の後端部１１０ａ,１１２ａ,１１４ａに当接する。すなわち、各通過口１９２,１９２に設けた連通突部１９６,１９６が第２排出樋１１２および第３排出樋１１４の後端部１１２ａ,１１４ａに当接し、第２の一般入賞口８４および第３の一般入賞口８４が、通過口１９２,１９２を介して第２通路１７４および第３通路１７６に夫々連通する。
【０１３４】
また、通過部１９４に設けた連通突部１９６は、前記第１排出樋１１０の後端部１１０ａにおける下部および左側部に当接する。第１排出樋１１０の後端部１１０ａにおける右側部には、前記裏ユニット３６に設けたセンサ収容ケース１７０の左前カバー１７０ａの左側部が当接する。すなわち、通過部１９４の連通突部１９６および左前カバー１７０ａが第１排出樋１１０の後端部１１０ａに当接することで、第１の一般入賞口８４が第１通路１７２に連通する。このように、実施例では、カバー部材１８０の通過口１９２,１９２および通過部１９４の周縁に連通突部１９６,１９６,１９６を形成したので、裏ユニット３６を遊技盤１８に配設した際に通過口１９２,１９２および通過部１９４が各排出樋１１０,１１２,１１４の後端部１１０ａ,１１２ａ,１１４ａに確実に連通することが可能となる。従って、通過口１９２,１９２および通過部１９４と排出樋１１０,１１２,１１４の後端部１１０ａ,１１２ａ,１１４ａとの間に隙間が発生し難く、遊技球が通過口１９２,１９２や通過部１９４を通過する際に、球詰まりが発生するのを抑制し得る。
【０１３５】
また、裏ユニット３６を遊技盤１８に取付けると、前記カバー部材１８０の当接突部１９８が前記遊技盤１８の裏面に当接する。これにより、カバー部材１８０が後方へ押圧されて、カバー部材１８０の後面が通路用壁部１７８に密着して、カバー部材１８０と第１〜第３通路１７２,１７４,１７６との間に隙間が生じ難くなる。これにより、パチンコ球が第１〜第３通路１７２,１７４,１７６を円滑に流下することができ、排出用球通路１２０で球詰まりが生じるのを抑制し得る。ここで、実施例では、線状の当接突部１９８がカバー部材１８０に設けられており、カバー部材１８０の全面が遊技盤１８の裏面に当接する訳ではない。仮に、カバー部材１８０が遊技盤１８に面接触する構成とした場合には、遊技盤１８の裏面の僅かな歪みによりカバー部材１８０の一部が遊技盤１８の裏面から浮いてしまい、カバー部材１８０と第１〜第３通路１７２,１７４,１７６との密着性が低下する虞がある。また、カバー部材１８０の一部が遊技盤１８の裏面から浮いてしまうと、通過口１９２,１９２や通過部１９４と排出樋１１０,１１２,１１４との連通に支障を来す虞がある。
【０１３６】
そこで、実施例では、遊技盤１８の裏面に不可避的に生ずる僅かな歪みの影響を軽減するべく、カバー部材１８０の線状の当接突部１９８が遊技盤１８の裏面に線接触する構成が採用されている。これにより、カバー部材１８０が遊技盤１８の裏面から浮き難くなって、第１〜第３通路１７２,１７４,１７６との密着性が低下するのを抑制すると共に、通過口１９２,１９２および通過部１９４と排出樋１１０,１１２,１１４とを確実に連通させることが可能となる。しかも、実施例では、線状の当接突部１９８を設けることで、カバー部材１８０の剛性が高められている。従って、実施例の如く、前記カバー部材１８０に取付けられた入賞口用発光装置１１６から生ずる熱によってカバー部材１８０が加熱されたとしても、カバー部材１８０が変形したり歪んだりするのを抑制し得る。更に、当接突部１９８は、カバー部材１８０の周縁部に形成されているので、カバー部材１８０の剛性をより高めることが可能となる。
【０１３７】
ここで、図１に示すように、前記裏ユニット３６を遊技盤１８に取付けた状態では、前記中央設置部１５４に設けた発光演出装置１４２が前記遊技盤１８のステージ部９０における案内部９６の真後ろに位置する。また、図１５に示すように、遊技盤１８の第２の貫通口８０を介して後方に突出する始動入賞装置７２の本体部７２ａが裏ユニット３６の中収容部１６６に臨むと共に、同じく第２の貫通口８０を介して後方に突出する特別入賞装置７６の本体部７６ａが裏ユニット３６の収容凹部１６８に臨んで、両本体部７２ａ,７６ａが発光演出装置１４２の下方に位置する。更に、発光演出装置１４２の上方には、前記裏ユニット３６の開口部１３２の下縁部が位置している。すなわち、発光演出装置１４２が設置されるステージ部９０の後方は、上下のスペースを確保するのが困難となっている。そこで、実施例の発光演出装置１４２では、図２２に示すように、発光演出装置１４２の発光素子２３２ａを発光領域２１０より狭い範囲に設置することで、装置本体２１６が嵩張らないように構成されている。
【０１３８】
換言すれば、実施例の発光演出装置１４２では、演出部２１２を回転させると共に発光領域２１０および円形装飾板２１８の光散乱効果により、発光領域２１０より狭い範囲に設置された発光素子２３２ａの光であっても、発光領域２１０全体が発光して、ステージ部９０を十分に明輝させることが可能となっている。従って、装置本体２１６のサイズをコンパクトにすることができ、図柄表示装置３４や始動入賞装置７２等が近接して配置されるステージ部９０後方の狭小なスペースであっても、発光演出装置１４２を設置することが可能となる。また、演出部用原位置スイッチ２５２は、装置本体２１６における下部スペース２３８を利用して設置されるので、該スイッチ２５２を設置するスペースを装置本体２１６に別途確保する必要がなく、装置本体２１６はコンパクトに維持される。しかも、前記下部スペース２３８は、前記ステージ部９０の転動面９４より下方に位置するので、下部スペース２３８に設けた演出部用原位置スイッチ２５２が前記装飾板９８により前側から覆われて視認不能とされる。すなわち、遊技者側から演出部用原位置スイッチ２５２が視認され難くなって、遊技の興趣が損なわれるのを防止し得る。
【０１３９】
〔遊技演出について〕
次に、実施例に係るパチンコ機１０の遊技態様について説明する。パチンコ機１０では、操作ハンドル３０の操作により打出し通路４２を介して遊技領域１６に打出されたパチンコ球は、遊技盤１８に設けた遊技釘等に接触して流下方向を変化させながら流下する。通常の遊技状態では、図１に示すように、前記可動演出体２５８は、前記収容部１４６に収容された第１姿勢に維持されており、可動演出体２５８は、図柄表示用開口部６６を介して前側から殆ど視認し得ないようになっている。遊技領域１６を流下したパチンコ球が前記一般入賞口８４にパチンコ球が入賞すると、該パチンコ球は、前記排出樋１１０,１１２,１１４を介して遊技盤１８の後方へ送られる。そして、前記カバー部材１８０の通過口１９２,１９２または通過部１９４を介して、排出用球通路１２０(第１〜第３通路１７２,１７４,１７６)に通入する。このとき、通過口１９２.１９２(通過部１９４)に設けた連通突部１９６が排出樋１１０,１１２,１１４の後端部１１０ａ,１１２ａ,１１４ａに当接して、通過口１９２,１９２(通過部１９４)および排出樋１１０,１１２,１１４が確実に連通しているので、通過口１９２,１９２(通過部１９４)を介してパチンコ球を円滑に排出用球通路１２０に通入させることができ、球詰まりを発生し難くし得る。
【０１４０】
前記排出用球通路１２０に通入したパチンコ球は、第１〜第３通路１７２,１７４,１７６の何れかを流下して、球排出口１８２から機外へ排出される。このとき、前述したように、当接突部１９８が遊技盤１８に当接することで、カバー部材１８０の後面が通路用壁部１７８に密着しているので、カバー部材１８０と通路用壁部１７８との間に隙間が生じ難く、排出用球通路１２０で球詰まりが生ずるのを抑制し得る。前記パチンコ球が球排出口１８２を通過する際に、前記球検知スイッチ１８６の検知部１８６ｂがパチンコ球を検知して、前記上球皿２４に所定数の賞球が払出される。
【０１４１】
遊技領域１６を流下したパチンコ球が前記始動入賞装置７２の始動口７０に入賞すると、図柄表示装置３４において所要の特別図柄変動ゲームが開始される。特別図柄変動ゲームにおいては、図柄表示装置３４の表示部６４にリーチ演出等の各種図柄演出が表示されると共に、前記裏ユニット３６に設けられた各演出装置１３６,１３８,１４０,１４２が当該図柄演出に合わせて演出を行なう。そして、特別図柄変動ゲームの結果、図柄表示装置３４に特定の図柄組合わせが表示されると大当りとなって、特別遊技が発生する。特別遊技が発生すると、特別入賞口７４を所定時間(例えば、３０秒)開放させる間に、所定数(例えば、１０球)のパチンコ球を特別入賞口７４に入賞させるラウンド遊技が開始され、多くの賞球が上球皿２４に払出される。一方、前記一般入賞口８４や始動口７０、特別入賞口７４に入賞しなかったパチンコ球は、遊技領域１６の最下部で開口するアウト口５８を介して遊技領域１６から排出される。
【０１４２】
〔発光演出装置の発光演出について〕
次に、発光演出装置１４２の発光演出について、説明を行なう。前記演出部用モータ２２４が駆動すると、駆動軸２２４ａに連結された連結部材２２０が回転して、前記演出部２１２が回転される。また、前記制御装置からの制御信号に基づいて、演出部用発光装置２１４が発光制御されて、前記発光素子２３２ａが所要の発光パターンで発光される。例えば、全ての発光素子２３２ａが一斉に点灯されたとすると、該発光素子２３２ａの光は、前記散乱カバー２３０で散乱されつつ前記演出部２１２の発光領域２１０に照射される。
【０１４３】
このとき、発光素子２３２ａは、図２２に示すように、装置本体２１６の上部において発光領域２１０より狭い範囲に設けられているので、発光素子２３２ａからの光は発光領域２１０の上部側に照射される。しかるに、実施例の発光領域２１０は、演出部用モータ２２４により所定の回転速度で回転すると共に、光散乱処理が施されているので、発光素子２３２ａの光が発光領域２１０で多方向に散乱されるようになっている。しかも、発光領域２１０には、演出部２１２の回転方向に交差する方向の装飾が施されて高い光散乱効果を有する円形装飾板２１８が設けられているので、当該円形装飾板２１８によって光をより効果的に散乱させるようになっている。従って、発光領域２１０よりも狭い範囲に設けた発光素子２３２ａの光であっても、発光領域２１０全体が発光して、ステージ部９０に対し十分な照明効果を発揮することができる。しかも、発光領域２１０全体が明輝した演出部２１２が回転することで、発光演出装置１４２自体が高い演出効果を発揮し、遊技の興趣を高めることが可能となる。また、実施例では、ステージ部９０の案内部９６の後方に発光演出装置１４２を設けたので、遊技者が最も注目するステージ部９０の案内部９６を発光演出することができ、遊技の興趣は更に高められる。
【０１４４】
ところで、前記発光領域２１０の下部は、前記ステージ部９０の転動面９４の下方に位置して前記装飾板９８の覆われた状態となるので、発光領域２１０の下部が図柄表示用開口部６６を介して前方から視認されることはない。しかるに、前記転動面９４は、透明部材２２で構成されるので、発光領域２１０の下部を転動面９４を介して斜め上前方から視認することは可能となる。そこで、ステージ部９０の転動面９４より下方に位置する発光領域２１０の下部を含む発光領域２１０全体が発光することで、転動面９４を介して発光領域２１０が視認されたとしても、遊技の興趣が損なわれることはない。なお、ステージ部９０の転動面９４を透明部材２２で構成することで、該転動面９４を発光領域２１０で効果的に明輝させることができるので、演出効果を高め得る。
【０１４５】
ここで、実施例に係る発光演出装置１４２では、遊技演出に合わせて発光パターンを適宜変更し得るようになっており、例えば、単位数ずつの発光素子２３２ａを演出部２１２の回転方向に合わせて順次発光させることが可能である。具体的には、２個ずつの発光素子２３２ａ,２３２ａを演出部２１２の回転方向に合わせて順番に点灯・消滅させることで、発光領域２１０に円弧状の軌跡をなして光が変位するような発光演出をすることが可能である。すなわち、実施例に係る発光演出装置１４２では、発光領域２１０全体を発光させるだけでなく、発光領域２１０の一部を明輝させて、演出部２１２の回転に合わせて光が変位する発光演出をすることもでき、意外性のある発光演出をすることができる。しかも、ステージ部９０の転動面９４より下方に位置して前記装飾板９８で隠れる発光領域２１０の下部についても、発光素子２３２ａの光が順に変位しているかのような錯覚を遊技者に与えることができ、遊技の興趣を高めることができる。
【０１４６】
〔左部演出装置の演出について〕
次に、左部演出装置１３６の演出について説明する。前記左部演出装置１３６は、遊技演出に合わせて回転演出体２６０が回転しつつ可動演出体２５８が回動する演出を行なうものである。すなわち、前記可動体用モータ２６２が駆動すると、該モータ２６２の駆動軸２６２ａに連結された駆動ギヤ２８８が回転し、該駆動ギヤ２８８に噛合する前記扇状従動ギヤ２９４が図３０の反時計回りに回動する。すると、図２７に示す如く、円弧状溝２９０の下端部に位置する摺動体３０２が、扇状従動ギヤ２９４の規制突起３００と共に円弧状溝２９０を摺動し、扇状従動ギヤ２９４に連結された可動演出体２５８が第１支軸２８４を中心として反時計回りに回動する。すなわち、可動演出体２５８は前記収容部１４６に収容された第１姿勢から姿勢変化して、前記図柄表示装置３４の表示部６４の前側に露出する。
【０１４７】
また、可動演出体２５８の回動に伴って、前記ピニオン部３２６がラック部２９２に噛合したまま移動し、ピニオン部３２６が回転する。すると、前記回転シャフト３２８が前記第１ギヤ３３０と共に回転して、該第１ギヤ３３０に噛合する第２ギヤ３２４が回転される。これにより、第２ギヤ３２４に連結する第２支軸３２２が回転して、前記回転演出体２６０が所定の回転速度で回転される。すなわち、回転演出体２６０は、可動演出体２５８の回動と同時に回転を開始し、該可動演出体２５８が回動する間、回転し続けるようになっている。また、前記筒状カバー部３０６に設けられた可動体用発光装置３１８が発光制御されて、筒状カバー部３０６の内側で可動体用発光装置３１８の発光素子３２０ｂが発光する。これにより、筒状カバー部３０６が明輝されて、該筒状カバー部３０６に配設された回転演出体２６０の注目度を高めることが可能となる。
【０１４８】
扇状従動ギヤ２９４が更に回動すると、該扇状従動ギヤ２９４の回動に合わせて可動演出体２５８が回動し、前記ピニオン部３２６が円弧状の軌跡をなして移動する。このとき、前記ラック部２９２はピニオン部３２６の移動軌跡に沿って延在しているので、該ラック部２９２とピニオン部３２６との噛合が解除されることはなく、回転演出体２６０の回転は継続される。そして、図２９に示すように、前記円弧状溝２９０の上部に摺動体３０２が到達すると、扇状従動ギヤ２９４の回動が規制される。すると、図１の２点鎖線で示すように、前記可動演出体２５８の略全体が図柄表示装置３４の表示部６４の前側に露出した第２姿勢となって、前記可動体用モータ２６２の駆動が停止され、可動演出体２５８の回動および回転演出体２６０の回転が停止される。このように、実施例に係るパチンコ機１０では、可動演出体２５８が収容部１４６に収容された第１姿勢から視認可能な第２姿勢に回動することで遊技者に意外性のある遊技演出をすることができ、遊技の興趣を向上し得る。しかも、可動演出体２５８(長尺可動部３０４)は、裏ユニット３６の開口部１３２における縦辺１３２ａの半分以上の長さを有する長尺な部材としたので、該開口部１３２の前方で可動演出体２５８が大きく回動して、演出効果をより高めることが可能となる。
【０１４９】
しかも、実施例に係るパチンコ機１０では、単一の駆動手段である可動体用モータ２６２で、可動演出体２５８および回転演出体２６０を作動し得るようにしたので、部品点数が少なくなって製造コストを低廉にし得る。また、ラック部２９２およびピニオン部３２６による簡易な構成により回転演出体２６０を回転し得るので、可動演出体２５８の重量が嵩むのを抑制して、出力の大きな可動体用モータ２６２を必要とせずにランニングコストを低廉にすることができる。特に、回転シャフト３２８を用いてピニオン部３２６の回転を第２ギヤ３２４へ伝達する簡易な構成を採用することで、複数のギヤを噛合させてピニオン部３２６の回転を第２ギヤ３２４へ伝達する構成に較べ、構造をシンプルにし得る。従って、可動演出体２５８や回転演出体２６０に不具合や故障が発生するのを抑制し得ると共に、製造コストを低廉にすることができる。また、実施例の如く、可動演出体２５８を長尺にした場合であっても、回転シャフト３２８を用いることでピニオン部３２６の回転を第２ギヤ３２４に確実に伝達することが可能となる。なお、可動体用発光装置３１８の配線３２０ｆは、ベース体３３４における回転シャフト３２８とは反対側の面に沿って案内されているので、配線３２０ｆが回転シャフト３２８に接触して不具合が生ずることは防止される。
【０１５０】
〔不正行為対策について〕
ここで、遊技者が上球皿２４を手前に引っ張って、前枠２０を透明部材２２と共に遊技盤１８から離間させる不正行為を行なったとする。すると、図９に示すように、前記透明部材２２は、下方に向かうにつれて遊技盤１８から離間する方向に傾斜した姿勢でレール部材３２から離間し、該透明部材２２とレール部材３２(連結部５２)との間に隙間が画成される。そして、当該隙間にパチンコ球を滞留させて、多数のパチンコ球を堆積させることができれば、始動口７０や一般入賞口８４に大量のパチンコ球を入賞させて賞球を不正に獲得することができてしまう。
【０１５１】
しかるに、実施例に係るパチンコ機１０では、レール部材３２の連結部５２に不正防止部５４が形成されているので、不正防止部５４と透明部材２２との間に隙間が画成されたとしても、不正防止部５４の上面１０２からパチンコ球が落下し易くなっている。すなわち、不正防止部５４の上面１０２は、レール部材３２の内側面より薄く形成されるので、不正防止部５４の上面１０２にパチンコ球が滞留するのは困難となり、パチンコ球を堆積させる不正行為は殆ど不可能となる。また、実施例では、薄板状の簡易な構造の不正防止部５４をレール部材３２に形成する構成としたので、製造コストを抑制し得ると共に、不具合が発生することも殆どなく、メンテナンス費を抑制することが可能となる。
【０１５２】
しかも、不正防止部５４は、連結部５２から所定高さで上方に突出するよう形成したので、傾斜姿勢となった透明部材２２と不正防止部５４の上端縁との離間距離Ｌ1は、不正防止部５４が上方に突出するにつれて小さくなる。すなわち、不正防止部５４が上方に突出することで透明部材２２との隙間を小さくして、当該隙間にパチンコ球を滞留させるのをより困難にしている。更に、不正防止部５４の前面をレール部材３２より前方に位置させたので、レール部材３２と透明部材２２との間の隙間を不正防止部５４の厚み分だけ狭めることができる。すなわち、不正防止部５４と透明部材２２との隙間は、不正防止部５４がレール部材３２より前方に位置する分だけ小さくなるので、当該隙間にパチンコ球を滞留させるのは更に困難とされる。
【０１５３】
ここで、図１０に示すように、不正防止部５４の上面１０２の左右には、円弧状に下方傾斜する傾斜部１０２ａ,１０２ａが形成されている。この傾斜部１０２ａ,１０２ａにより、不正防止部５４の上面１０２にあるパチンコ球を左右に速やかに分散させて、不正防止部５４の上面１０２にパチンコ球が滞留するのをより困難としている。しかも、不正防止部５４の左右の傾斜部１０２ａ,１０２ａは、内レール４０または第２内側面５０に滑らかに連なるよう構成したので、不正防止部５４の左右の縁部と内レール４０または第２内側面５０との境界部分(図１０の参照)に上下方向の段差が生じることはない。これにより、当該境界部分に生じた段差にパチンコ球が引っ掛かって、パチンコ球が滞留すると云った事態が発生するのを防止している。更に、実施例の不正防止部５４は、図１０に示すように、左右の幅寸法Ｌ3がアウト口５８の左右の幅寸法より大きく設定されている。従って、パチンコ球を不正防止部５４の上面１０２で左右に大きく分散させてパチンコ球の堆積をより確実に防止することができる。しかも、アウト口５８より広い範囲でパチンコ球の堆積を防止することができるので、不正行為を広範囲で防止し得る。
【０１５４】
〔変更例〕
図３７は、変更例に係る不正防止部３５０を示す斜視図である。なお、変更例では、実施例と相違する部分についてのみ説明を行ない、実施例と同一の部分については、同じ符号を付して説明を省略する。実施例では、不正防止部５４がレール部材３２の連結部５２に一体的に形成される構成とした。これに対し、変更例に係る不正防止部３５０は、前記レール部材３２の肉厚部６０に着脱自在に取付けられる構成とされる。不正防止部３５０は、前記肉厚部６０に着脱自在に取付けられる取着板部３５２と、該レール部材３２(内レール４０および第２内側面５０)の前後幅より薄く形成された板状部３５４とから構成される。前記取着板部３５２は、前記肉厚部６０の前面に当接した状態で取付けられる板状の部材であって、図３８に示すように、該取着板部３５２の後面に、肉厚部６０に設けられた矩形凹部６２(図５参照)に嵌合可能な嵌合突部３５６が４つ突出成形されている。各嵌合突部３５６は、矩形凹部６２と略同一の寸法に設定されており、矩形凹部６２に対し嵌合突部３５６を圧入することで、不正防止部５４がレール部材３２に固定されるようになっている。
【０１５５】
前記板状部３５４は、取着板部３５２が肉厚部６０に取付けられた状態で、該レール部材３２(連結部５２)の前端から上方へ突出するよう構成される。また、板状部３５４の前面は、レール部材３２の前端面より前方へ位置している。更に、板状部３５４の上面３５８における左右には、実施例と同様な傾斜部３５８ａ,３５８が形成されている。すなわち、傾斜部３５８ａ,３５８ａは、内レール４０または第２内側面５０に滑らかに連なるよう構成されており、板状部３５４の左右の縁部と内レール４０または第２内側面５０との境界部分に上下方向の段差が生じないようにしてある。
【０１５６】
このように、変更例では、不正防止部３５０をレール部材３２の肉厚部６０に着脱自在に取付ける構成としたので、不正防止部３５０を備えていない既存のパチンコ機１０のレール部材３２に対して不正防止部３５０を装着することができ、前述した不正行為への対策が可能となる。しかも、変更例の不正防止部３５０は、矩形凹部６２に嵌合突部３５６を嵌合するだけでレール部材３２に容易に取付けることができるので、不正防止部３５０の取付け作業を効率的にし得る。また、変更例に係る不正防止部３５０は、実施例と同様に、板状部３５４と透明部材２２との間の隙間にパチンコ球を滞留させるのを困難として、パチンコ球を堆積させる不正行為を好適に防止することができる。
【０１５７】
(１) 実施例では、発光演出装置をステージ部における案内部の後方に位置するようにしたが、ステージ部に光を照射し得るのであれば、発光演出装置をステージ部の左右に偏倚して設けてもよい。
(２) 実施例では、発光演出装置の複数の発光素子を円弧状に配設した場合を示したが、発光領域より狭い範囲に配置されるのであれば、例えば、発光素子を格子状に設けてもよい、
(３) 実施例では、演出部の前部全体を発光領域としたが、例えば、演出部におけるステージ部の転動面より上方に位置する部位を発光領域として、当該発光領域が発光する構成であってもよい。すなわち、演出部における転動面より下方に位置する部位は、必ずしも発光させる必要はない。
(４) 実施例では、カバー部材の周縁部に当接突部を形成したが、必ずしもカバー部材の周縁部に設ける必要はなく、カバー部材における遊技盤の裏面に対向する部位に当接突部を形成すればよい。
(５) 実施例では、可動演出体を開口部の左上隅部に近接する位置に軸支した場合を示したが、可動演出体を開口部の他の隅部に軸支してもよい。例えば、開口部の右上隅部に近接して可動演出体を軸支して、第１姿勢では、裏ユニットの上対向面部と遊技盤との間に収容されるようにしてもよい。そして、可動演出体が時計回り方向に回動して、第２姿勢では、可動演出体が斜め左下に延在して、図柄表示装置の表示部の前側に露出するようにしてもよい。
(６) 実施例では、前後方向に延在する第２支軸を介して回転演出体が回転する構成としたが、例えば、可動演出体の延在方向に平行な第２支軸を介して回転演出体が回転する構成であってもよい。
(７) 実施例では、ピニオン部の回転を回転演出体に伝達させるリンク手段として、回転シャフトおよび第１,第２ギヤによる構成を採用したが、例えば、一対の回転体と該回転体に巻き掛けられる無端ベルトを利用してリンク手段を構成してもよい。
(８) 実施例では、不正防止部を不透明な部材で構成したが、不正防止部を透明部材で構成してもよい。この場合、不正防止部を介してレール部材(連結部)側を視認し得るので、不正防止部の上方への突出量を実施例よりも大きくすることが可能となり、不正行為をより確実に防止することができる。
(９) 実施例では、不正防止部の上面の左右に傾斜部を形成し、不正防止部の左右中央部は、略水平となるよう構成した。しかしながら、例えば、不正防止部の上面を、左右中央部を頂点とする円弧状や山型状としてもよい。
【符号の説明】
【０１５８】
１６ 遊技領域，１８ 遊技盤，３６ 裏ユニット
８２ 第３の貫通口(貫通口)，８４ 一般入賞口(入賞口)
８６ 入賞口用飾り部材(入賞装置)
１１０,１１２,１１４ 第１〜第３排出樋
１１０ａ,１１２ａ,１１４ａ 後端部，１１６ 入賞口用発光装置(発光装置)
１２０ 排出用球通路(球通路)，１８０ カバー部材
１８６ 球検知スイッチ(球検知手段)，１９２ 通過口，１９６ 連通突部
１９８ 当接突部，２０４ 規制部
【図１】
0005445962.tif 000002
【図２】
0005445962.tif 000003
【図３】
0005445962.tif 000004
【図４】
0005445962.tif 000005
【図５】
0005445962.tif 000006
【図６】
0005445962.tif 000007
【図７】
0005445962.tif 000008
【図８】
0005445962.tif 000009
【図９】
0005445962.tif 000010
【図１０】
0005445962.tif 000011
【図１１】
0005445962.tif 000012
【図１２】
0005445962.tif 000013
【図１３】
0005445962.tif 000014
【図１４】
0005445962.tif 000015
【図１５】
0005445962.tif 000016
【図１６】
0005445962.tif 000017
【図１７】
0005445962.tif 000018
【図１８】
0005445962.tif 000019
【図１９】
0005445962.tif 000020
【図２０】
0005445962.tif 000021
【図２１】
0005445962.tif 000022
【図２２】
0005445962.tif 000023
【図２３】
0005445962.tif 000024
【図２４】
0005445962.tif 000025
【図２５】
0005445962.tif 000026
【図２６】
0005445962.tif 000027
【図２７】
0005445962.tif 000028
【図２８】
0005445962.tif 000029
【図２９】
0005445962.tif 000030
【図３０】
0005445962.tif 000031
【図３１】
0005445962.tif 000032
【図３２】
0005445962.tif 000033
【図３３】
0005445962.tif 000034
【図３４】
0005445962.tif 000035
【図３５】
0005445962.tif 000036
【図３６】
0005445962.tif 000037
【図３７】
0005445962.tif 000038
【図３８】
0005445962.tif 000039